(57)【特許請求の範囲】
【請求項１】
１つ以上のチャネル推定方式を用いて受信された信号からチャネルを推定することと、
前記受信された信号から前記推定されたチャネルを用いる成分信号を除去して処理された信号を生成することと、
前記処理された信号内の残留信号を検出することと、を備え、前記検出することは、検出されたセルの存在に関する誤った特定を意味する誤アラームを低減するための、１つ以上の誤アラーム低減方式を適用することを含み、前記１つ以上の誤アラーム低減方式のうちの１つは、
基準信号受信電力が前記残留信号におけるスレショルドよりも高いことを決定することと、
前記基準信号受信電力が前記残留信号における前記スレショルドよりも高いことを決定することに応じて、前記残留信号から物理ブロードキャストチャネルを復号することと、を備え、
前記復号された物理ブロードキャストチャネルは、前記誤アラームの尤度を低減するために用いられる、無線通信方法。
【請求項２】
前記受信された信号は、複数のセルからの成分を備える請求項１に記載の方法。
【請求項３】
前記推定することは、
前記受信された信号においてプライマリ同期信号を検出することと、
前記プライマリ同期信号を用いてチャネル推定値を生成することと、をさらに備える請求項１に記載の方法。
【請求項４】
前記推定することは、
基準信号を入手することと、
前記基準信号を用いてチャネル推定値を生成することと、をさらに備える請求項１に記載の方法。
【請求項５】
前記入手することは、
第１のセルからの信号を検出することであって、前記第１のセルからの前記信号は、基準信号シンボルを有する前記基準信号を含むことと、
前記基準信号シンボルを用いて前記推定されたチャネルを入手することと、をさらに備える請求項４に記載の方法。
【請求項６】
前記基準信号シンボルは、複数のサブフレームにわたって前記基準信号内に含められる請求項５に記載の方法。
【請求項７】
前記基準信号シンボルは、マルチメディアブロードキャスト単一周波数ネットワーク（ＭＢＳＦＮ）サブフレーム又は空白のサブフレームのいずれかにおいて前記基準信号内に含められる請求項５に記載の方法。
【請求項８】
前記基準信号シンボルを用いて前記推定されたチャネルを前記入手することは、単一アンテナシステムにおいて前記基準シンボルから前記チャネルを推定することと、プライマリ又はセカンダリ同期信号からのチャネル推定値のうちの少なくとも１つと結合することと、をさらに備える請求項５に記載の方法。
【請求項９】
前記基準信号シンボルを用いて前記推定されたチャネルを前記入手することは、多アンテナシステムにおいて前記基準シンボルから前記チャネルを推定することと、プリコーディングベクトルステアリングを用いてプライマリ又はセカンダリ信号からのチャネル推定値のうちの少なくとも１つと結合することと、をさらに備える請求項５に記載の方法。
【請求項１０】
前記プライマリ及びセカンダリ同期信号において用いられるプリコーディングベクトルをセルＩＤ及びシステムフレーム番号とリンクさせることをさらに備える請求項９に記載の方法。
【請求項１１】
前記１つ以上のチャネル推定方式のうちの１つは、
第１のセル物理ブロードキャストチャネルを復号することと、
前記受信された信号と関連付けられたプライマリ同期信号及びセカンダリ同期信号に前記復号された第１のセル物理ブロードキャストチャネルを適用することと、を備える請求項１に記載の方法。
【請求項１２】
前記適用することは、前記物理ブロードキャストチャネルにプリコーディングベクトルを乗じて前記プライマリ同期信号及び前記セカンダリ同期信号に適用するチャネルを入手することをさらに備える請求項１１に記載の方法。
【請求項１３】
前記プライマリ及びセカンダリ同期信号において用いられるプリコーディングベクトルをセルＩＤ及びシステムフレーム番号とリンクさせることをさらに備える請求項１１に記載の方法。
【請求項１４】
前記１つ以上の誤アラーム低減方式のうちの１つは、前記残留信号の受信された電力をスレショルド値と比較することを備える請求項１に記載の方法。
【請求項１５】
前記スレショルド値は、
定義されたスレショルド値、
検出された最も強力なセルから生成されたスレショルド、又は
複数の検出されたセルの平均から生成されたスレショルド、のうちの少なくとも１つを備える請求項１４に記載の方法。
【請求項１６】
前記１つ以上の誤アラーム低減方式のうちの１つは、前記検出された信号に対する巡回冗長検査を行うことを備える請求項１に記載の方法。
【請求項１７】
前記残留信号に対する自動利得制御を行うことをさらに備え、
前記自動利得制御は、
前記推定されたチャネル、又は
前記受信された信号と前記残留信号との間のエネルギー差、のうちの少なくとも１つに基づいて前記残留信号にスケーリングファクタを適用することをさらに備える請求項１に記載の方法。
【請求項１８】
前記残留信号及び前記推定されたチャネルと関連付けられた信号が類似の送信されたプライマリ同期信号を有することを決定することと、
前記推定されたチャネル及び検出されたタイミングと関連付けられた情報を格納することと、をさらに備え、前記格納された情報は、検出されたプライマリ同期信号をさらに備える請求項１に記載の方法。
【請求項１９】
１つ以上のチャネル推定方式を用いて受信された信号からチャネルを推定するための手段と、
前記受信された信号から前記推定されたチャネルを用いる成分信号を除去して処理された信号を生成するための手段と、
前記処理された信号内の残留信号を検出するための手段と、を備え、
検出するための前記手段は、検出されたセルの存在に関する誤った特定を意味する誤アラームを低減するための、１つ以上の誤アラーム低減方式を適用するための手段を備え、
前記１つ以上の誤アラーム低減方式のうちの１つは、
基準信号受信電力が前記残留信号におけるスレショルドよりも高いことを決定することと、
前記基準信号受信電力が前記残留信号における前記スレショルドよりも高いことを決定することに応じて、前記残留信号から物理ブロードキャストチャネルを復号することと、
を備え、
前記復号された物理ブロードキャストチャネルは、前記誤アラームの尤度を低減するために用いられる、無線通信のための装置。
【請求項２０】
前記受信された信号は、複数のセルからの成分を備える請求項１９に記載の装置。
【請求項２１】
推定するための前記手段は、
前記受信された信号においてプライマリ同期信号を検出するための手段と、
前記プライマリ同期信号を用いてチャネル推定値を生成するための手段と、をさらに備える請求項１９に記載の装置。
【請求項２２】
推定するための前記手段は、
基準信号を入手するための手段と、
前記基準信号を用いてチャネル推定値を生成するための手段と、をさらに備える請求項１９に記載の装置。
【請求項２３】
入手するための前記手段は、
第１のセルからの信号を検出するための手段であって、前記第１のセルからの前記信号は、基準信号シンボルを有する前記基準信号を含む手段と、
前記基準信号シンボルを用いて前記推定されたチャネルを入手するための手段と、をさらに備える請求項２２に記載の装置。
【請求項２４】
前記基準信号シンボルは、複数のサブフレームにわたって前記基準信号内に含められる請求項２３に記載の装置。
【請求項２５】
前記基準信号シンボルは、マルチメディアブロードキャスト単一周波数ネットワーク（ＭＢＳＦＮ）サブフレーム又は空白のサブフレームのいずれかにおいて前記基準信号内に含められる請求項２３に記載の装置。
【請求項２６】
前記基準信号シンボルを用いて前記推定されたチャネルを入手するための前記手段は、単一アンテナシステムにおいて前記基準シンボルから前記チャネルを推定するための手段と、プライマリ又はセカンダリ同期信号からのチャネル推定値のうちの少なくとも１つと結合するための手段と、をさらに備える請求項２３に記載の装置。
【請求項２７】
前記基準信号シンボルを用いて前記推定されたチャネルを入手するための前記手段は、多アンテナシステムにおいて前記基準シンボルから前記チャネルを推定するための手段と、プリコーディングベクトルステアリングを用いてプライマリ又はセカンダリ信号からのチャネル推定値のうちの少なくとも１つと結合するための手段と、をさらに備える請求項２３に記載の装置。
【請求項２８】
前記プライマリ及びセカンダリ同期信号において用いられるプリコーディングベクトルをセルＩＤ及びシステムフレーム番号とリンクさせるための手段をさらに備える請求項２７に記載の装置。
【請求項２９】
１つ以上のチャネル推定方式を用いて前記受信された信号からチャネルを推定するための前記手段は、
第１のセル物理ブロードキャストチャネルを復号するための手段と、
前記受信された信号と関連付けられたプライマリ同期信号及びセカンダリ同期信号に前記復号された第１のセル物理ブロードキャストチャネルを適用するための手段と、を備える請求項１９に記載の装置。
【請求項３０】
適用するための前記手段は、前記物理ブロードキャストチャネルにプリコーディングベクトルを乗じて前記プライマリ同期信号及び前記セカンダリ同期信号に適用するチャネルを入手するための手段をさらに備える請求項２９に記載の装置。
【請求項３１】
前記プライマリ及びセカンダリ同期信号において用いられるプリコーディングベクトルをセルＩＤ及びシステムフレーム番号とリンクさせるための手段をさらに備える請求項２９に記載の装置。
【請求項３２】
前記１つ以上の誤アラーム低減方式のうちの１つを適用するための前記手段は、前記残留信号の受信された電力をスレショルド値と比較するための手段をさらに備える請求項１９に記載の装置。
【請求項３３】
前記スレショルド値は、
定義されたスレショルド値、
検出された最も強力なセルから生成されたスレショルド、又は
複数の検出されたセルの平均から生成されたスレショルド、のうちの少なくとも１つを備える請求項３２に記載の装置。
【請求項３４】
前記１つ以上の誤アラーム低減方式のうちの１つを適用するための前記手段は、前記検出された信号に対する巡回冗長検査を行うための手段をさらに備える請求項１９に記載の装置。
【請求項３５】
前記残留信号に対する自動利得制御を行うための手段をさらに備え、
自動利得制御を行うための前記手段は、
前記推定されたチャネル、又は
前記受信された信号と前記残留信号との間のエネルギー差、のうちの少なくとも１つに基づいて前記残留信号にスケーリングファクタを適用するための手段をさらに備える請求項１９に記載の装置。
【請求項３６】
前記残留信号及び前記推定されたチャネルと関連付けられた信号が類似の送信されたプライマリ同期信号を有することを決定するための手段と、
前記推定されたチャネル及び検出されたタイミングと関連付けられた情報を格納するための手段と、をさらに備え、前記格納された情報は、検出されたプライマリ同期信号をさらに備える請求項１９に記載の装置。
【請求項３７】
１つ以上のチャネル推定方式を用いて受信された信号からチャネルを推定し、
前記受信された信号から前記推定されたチャネルを用いる成分信号を除去して処理された信号を生成し、
前記処理された信号内の残留信号を検出するための符号を備え、前記検出することは、検出されたセルの存在に関する誤った特定を意味する誤アラームを低減するための、１つ以上の誤アラーム低減方式を適用することを含み、前記１つ以上の誤アラーム低減方式のうちの１つは、
基準信号受信電力が前記残留信号におけるスレショルドよりも高いことを決定することと、
前記基準信号受信電力が前記残留信号における前記スレショルドよりも高いことを決定することに応じて、前記残留信号から物理ブロードキャストチャネルを復号することと、を備え、
前記復号された物理ブロードキャストチャネルは、前記誤アラームの尤度を低減するために用いられる、コンピュータによって読み取り可能なコンピュータプログラム。
【請求項３８】
前記受信された信号は、複数のセルからの成分を備える請求項３７に記載のコンピュータプログラム。
【請求項３９】
推定するための前記符号は、
前記受信された信号においてプライマリ同期信号を検出し、及び
前記プライマリ同期信号を用いてチャネル推定値を生成するための符号をさらに備える請求項３７に記載のコンピュータプログラム。
【請求項４０】
前記１つ以上のチャネル推定方式のうちの１つは、
第１のセル物理ブロードキャストチャネルを復号し、及び
前記受信された信号と関連付けられたプライマリ同期信号及びセカンダリ同期信号に前記復号された第１のセル物理ブロードキャストチャネルを適用するための符号を備える請求項３７に記載のコンピュータプログラム。
【請求項４１】
前記１つ以上の誤アラーム低減方式のうちの１つは、前記残留信号の受信された電力をスレショルド値と比較するための符号を備える請求項３７に記載のコンピュータプログラム。
【請求項４２】
前記コンピュータによって読み取り可能なコンピュータプログラムは、
前記残留信号及び前記推定されたチャネルと関連付けられた信号が類似の送信されたプライマリ同期信号を有することを決定し、及び
前記推定されたチャネル及び検出されたタイミングと関連付けられた情報を格納するための符号をさらに備え、前記格納された情報は、検出されたプライマリ同期信号をさらに備える請求項３７に記載のコンピュータプログラム。
【請求項４３】
少なくとも１つのプロセッサと、
前記少なくとも１つのプロセッサに結合されたメモリと、を備え、前記少なくとも１つのプロセッサは、
１つ以上のチャネル推定方式を用いて受信された信号からチャネルを推定し、
前記受信された信号から前記推定されたチャネルを用いる成分信号を除去して処理された信号を生成し、
前記処理された信号内の残留信号を検出し、及び
検出されたセルの存在に関する誤った特定を意味する誤アラームを低減するための、１つ以上の誤アラーム低減方式を適用するように構成され、
前記１つ以上の誤アラーム低減方式のうちの１つを適用するために、前記少なくとも１つのプロセッサは、
基準信号受信電力が前記残留信号におけるスレショルドよりも高いことを決定し、
前記基準信号受信電力が前記残留信号における前記スレショルドよりも高いことを決定することに応じて、前記残留信号から物理ブロードキャストチャネルを復号するようにさらに構成され、
前記復号された物理ブロードキャストチャネルは、前記誤アラームの尤度を低減するために用いられる、無線通信のための装置。
【請求項４４】
前記受信された信号は、複数のセルからの成分を備える請求項４３に記載の装置。
【請求項４５】
前記１つ以上のチャネル推定方式を用いて前記受信された信号から前記チャネルを推定するために、前記少なくとも１つのプロセッサは、
前記受信された信号においてプライマリ同期信号を検出し、及び
前記プライマリ同期信号を用いてチャネル推定値を生成するようにさらに構成される請求項４３に記載の装置。
【請求項４６】
前記１つ以上のチャネル推定方式を用いて前記受信された信号から前記チャネルを推定するために、前記少なくとも１つのプロセッサは、
第１のセル物理ブロードキャストチャネルを復号し、及び
前記受信された信号と関連付けられたプライマリ同期信号及びセカンダリ同期信号に前記復号された第１のセル物理ブロードキャストチャネルを適用するようにさらに構成される請求項４３に記載の装置。
【請求項４７】
１つ以上の誤アラーム低減方式を適用するために、前記少なくとも１つのプロセッサは、前記残留信号の受信された電力をスレショルド値と比較するようにさらに構成される請求項４３に記載の装置。
【請求項４８】
前記少なくとも１つのプロセッサは、
前記残留信号及び前記推定されたチャネルと関連付けられた信号が類似の送信されたプライマリ同期信号を有することを決定し、及び、
前記推定されたチャネル及び検出されたタイミングと関連付けられた情報を格納するようにさらに構成され、前記格納された情報は、検出されたプライマリ同期信号をさらに備える請求項４３に記載の装置。
【発明の詳細な説明】
【技術分野】
【０００１】
関連出願の相互参照
本出願は、“INTERFERENCE CANCELLATION ON DOWNLINK ACQUISITION SIGNALS”（ダウンリンク取得信号における干渉キャンセル）という題名を有し、ここにおける引用によってそれの全体が明示でここに組み入れられている米国仮特許出願一連番号第６１／２３４，５９５号（出願日：２００９年８月１７日）の利益を主張するものである。
【０００２】
本開示は、概して、通信システムに関するものである。本開示は、より具体的には、ダウンリンク取得信号における干渉の低減又はキャンセルのための方法及び装置に関するものである。
【背景技術】
【０００３】
様々な通信サービス、例えば、テレフォニー、映像、データ、メッセージング、ブロードキャスト、等、を提供することを目的として無線通信システムが広範囲にわたって配備されている。典型的な無線通信システムは、利用可能なシステムリソース（例えば、帯域幅、送信電力）を共有することによって複数のユーザとの通信をサポートすることが可能な多元接続技術を採用することができる。該多元接続技術の例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、単一搬送波周波数分割多元接続（ＳＣ−ＦＤＭＡ）システムと、時分割同期符号分割多元接続（ＴＤ−ＳＣＤＭＡ）システムと、を含む。
【０００４】
これらの多元接続技術は、異なる無線デバイスが地方自治体、国、地域、さらには地球レベルで通信するのを可能にする共通プロトコルを提供するために様々な通信規格で採用されている。新生通信規格の一例は、ロングタームエボリューション（Ｌｏｎｇ  Ｔｅｒｍ  Ｅｖｏｌｕｔｉｏｎ）（ＬＴＥ）である。ＬＴＥは、第３世代パートナーシッププロジェクト（３ＧＰＰ）によって公布されたユニバーサル移動体通信システム（ＵＭＴＳ）モバイル規格の一組の進歩である。それは、スペクトル効率を向上させることによってモバイルブロードバンドインターネットアクセスをより良くサポートし、コストを低減させ、サービスを向上させ、新スペクトルを利用し、及びダウンリンク（ＤＬ）でのＯＦＤＭＡ、アップリンク（ＵＬ）でのＳＣ−ＦＤＭＡ、及び多入力多出力（MＩＭＯ）アンテナ技術を用いるその他のオープン規格とより良く統合するように設計されている。しかしながら、モバイルブロードバンドアクセス要求が増大し続けるのに従い、ＬＴＥ技術のさらなる改良の必要性が存在する。好ましくは、これらの改良は、その他の多元接続技術及びこれらの技術を採用する通信規格に適用可能であるべきである。
【発明の概要】
【０００５】
本開示の一態様においては、無線通信方法は、１つ以上のチャネル推定方式を用いた受信された信号からのチャネルの推定と、受信された信号から推定されたチャネルを用いる成分信号を除去して処理された信号を生成することと、処理された信号内の残留信号の検出と、を含む。
【０００６】
本開示の他の態様においては、無線通信のための装置は、複数のセルからの成分を含む信号を受信するための手段と、１つ以上のチャネル推定方式を用いて受信された信号からチャネルを推定するための手段と、受信された信号から推定されたチャネルを用いる成分信号を除去して処理された信号を生成するための手段と、処理された信号内の残留信号を検出するための手段と、を含む。
【０００７】
本開示のさらに他の態様においては、コンピュータプログラム製品は、１つ以上のチャネル推定方式を用いて受信された信号からチャネルを推定し、受信された信号から推定されたチャネルを用いる成分信号を除去して処理された信号を生成し、及び処理された信号内の残留信号を検出するための符号を備えるコンピュータによって読み取り可能な媒体、を含む。
【０００８】
本開示のさらに他の態様においては、無線通信のための装置は、少なくとも１つのプロセッサと、少なくとも１つのプロセッサに結合されたメモリと、を含み、少なくとも１つのプロセッサは、１つ以上のチャネル推定方式を用いて受信された信号からチャネルを推定し、受信された信号から推定されたチャネルを用いる成分信号を除去して処理された信号を生成し、及び処理された信号内の残留信号を検出するように構成される。
【図面の簡単な説明】
【０００９】
【図１】処理システムを採用する装置のためのハードウェア実装の例を示した図である。
【図２】ネットワークアーキテクチャの例を示した図である。
【図３】アクセスネットワークの例を示した図である。
【図４】アクセスネットワークでの使用のためのフレーム構造の例を示した図である。
【図５】ＬＴＥにおけるＵＬのための典型的なフォーマットを示した図である。
【図６】ユーザ及び制御プレーンのための無線プロトコルアーキテクチャの例を示した図である。
【図７】アクセスネットワークにおけるエボルブドＮｏｄｅＢ及びユーザ装置の例を示した図である。
【図８】無線通信デバイスのアーキテクチャ例のブロック図である。
【図９】一態様による干渉低減／キャンセルのために構成されたＮｏｄｅＢの典型的なアーキテクチャを描いたブロック図である。
【図１０】一態様による干渉低減システムの典型的なブロック図を例示した図である。
【図１１】主題の開示の一態様による干渉キャンセルを容易にするシステム例のブロック図である。
【図１２】主題の開示の一態様による干渉キャンセルを容易にするシステム例の他のブロック図である。
【図１３】開示された態様による典型的な信号処理方法のフローチャートである。
【図１４】典型的な装置の機能を例示する概念的ブロック図である。
【図１５】開示される態様による典型的な信号処理方法のフローチャートである。
【図１６】典型的な装置の機能を例示する概念的ブロック図である。
【発明を実施するための形態】
【００１０】
添付図と関係させて以下において示される詳細な発明を実施するための形態は、様々な構成の説明であることが意図され、ここにおいて説明される概念を実践することができる構成のみを表すことは意図されない。詳細な発明を実施するための形態は、様々な概念の徹底的な理解を提供することを目的とする特定の詳細を含む。しかしながら、これらの概念はこれらの具体的な詳細なしに実践可能であることが当業者にとって明確であろう。幾つかの例においては、該概念を曖昧にすることを回避するためによく知られた構造及びコンポーネントはブロック図形で示される。
【００１１】
今度は、通信システムの幾つかの態様が様々な装置及び方法を参照して提示される。これらの装置及び方法は、以下の詳細な発明を実施するための形態において説明され、様々なブロック、モジュール、コンポーネント、回路、ステップ、プロセス、アルゴリズム、等（総称して“要素”と呼ばれる）によって添付図において例示される。これらの要素は、電子ハードウェア、コンピュータソフトウェア、又はそれらのあらゆる組み合わせを用いて実装することができる。該要素がハードウェア又はソフトウェアとして実装されるかは、特定の用途及び全体的システムに対して課せられた設計上の制約に依存する。
【００１２】
一例として、要素、要素のいずれかの一部分、又は要素のあらゆる組み合わせは、１つ以上のプロセッサを含む“処理システム”を用いて実装することができる。プロセッサの例は、この開示全体を通じて説明される様々な機能を果たすように構成されたマイクロプロセッサと、マイクロコントローラと、デジタル信号プロセッサ（ＤＳＰ）と、フィールドプログラマブルゲートアレイ（ＦＰＧＡ）と、プログラマブル論理デバイス（ＰＬＤ）と、ステートマシンと、ゲーテッド（ｇａｔｅｄ）ロジックと、ディスクリートハードウェア回路と、その他の適切なハードウェアと、を含む。処理システム内の１つ以上のプロセッサが、ソフトウェアを実行することができる。ソフトウェアは、命令、命令セット、符号、符号セグメント、プログラムコード、プログラム、サブプログラム、ソフトウェアモジュール、アプリケーション、ソフトウェアアプリケーション、ソフトウェアパッケージ、ルーチン、サブルーチン、オブジェクト、エクセキュータブル（ｅｘｅｃｕｔａｂｌｅ）、実行スレッド、手順、関数、等を意味すると広義に解釈されるものとし、ソフトウェア、ファームウェア、ミドルウェア、マイクロコード、ハードウェア記述言語、又はその他のいずれとして呼ばれるかを問わない。ソフトウェアは、コンピュータによって読み取り可能な媒体上に常駐することができる。コンピュータによって読み取り可能な媒体は、非一過性のコンピュータによって読み取り可能な媒体であることができる。非一過性のコンピュータによって読み取り可能な媒体は、例として、磁気記憶装置（例えば、ハードディスク、フロッピー（登録商標）ディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、カード、スティック、キードライブ）と、ランダムアクセスメモリ（ＲＡＭ）と、読取専用メモリ（ＲＯＭ）と、プログラマブルＲＯＭ（ＰＲＯＭ）と、消去可能ＰＲＯＭ（ＥＰＲＯＭ）と、電気的消去可能ＰＲＯＭ（ＥＥＰＲＯＭ）と、レジスタと、取り外し可能ディスクと、コンピュータによってアクセス及び読み取り可能であるソフトウェア及び／又は命令を格納するためのあらゆるその他の適切な媒体と、を含む。コンピュータによって読み取り可能な媒体は、例として、搬送波と、送信ラインと、コンピュータによってアクセス及び読み取り可能であるソフトウェア及び／又は命令を送信するためのあらゆるその他の適切な媒体と、を含むこともできる。コンピュータによって読み取り可能な媒体は、処理システム内に常駐すること、処理システムの外部に存在すること、又は処理システムを含む複数のエンティティにわたって分散させることができる。コンピュータによって読み取り可能な媒体は、コンピュータプログラム製品において具現化することができる。例として、コンピュータプログラム製品は、パッケージ材料内のコンピュータによって読み取り可能な媒体を含むことができる。当業者は、特定の用途及び全体的システムに対して課せられた全体的な設計上の制約に依存した、この開示全体を通じて提示された説明される機能を実装するための最良の方法、を認識するであろう。
【００１３】
図１は、処理システム１１４を採用する装置１００のためのハードウェア実装の例を示す概念図である。この例においては、処理システム１１４は、概してバス１０２によって代表されるバスアーキテクチャを用いて実装することができる。バス１０２は、処理システム１１４の特定の用途及び全体的設計上の制約に依存してあらゆる数の相互接続バスとブリッジとを含むことができる。バス１０２は、概してプロセッサ１０４によって代表される１つ以上のプロセッサと、概してコンピュータによって読み取り可能な媒体１０６によって代表されるコンピュータによって読み取り可能な媒体と、を含む様々な回路をまとめてリンクさせる。バス１０２は、様々なその他の回路、例えば、タイミング源、周辺機器、電圧調整器、及び電力管理回路、等もリンクさせることができ、それらは、当業においてよく知られており、従って、これ以上は説明されない。バスインタフェース１０８は、バス１０２とトランシーバ１１０との間のインタフェースを提供する。トランシーバ１１０は、送信媒体を通じて様々なその他の装置と通信するための手段を提供する。装置の性質に依存して、ユーザインタフェース１１２（例えば、キーパッド、ディスプレイ、スピーカー、マイク、ジョイスティック）を提供することもできる。
【００１４】
プロセッサ１０４は、バス１０２及び一般的処理を管理することを担当し、コンピュータによって読み取り可能な媒体１０６に格納されたソフトウェアの実行を含む。ソフトウェアは、プロセッサ１０４によって実行されたときに、特定の装置に関して後述される様々な機能を実行することを処理システム１１４に行わせる。コンピュータによって読み取り可能な媒体１０６は、ソフトウェアを実行するときにプロセッサ１０４によって処理されるデータを格納するために用いることもできる。
【００１５】
図２は、様々な装置１００を採用するＬＴＥネットワークアーキテクチャ２００を例示する図である（図１参照）。ＬＴＥネットワークアーキテクチャ２００は、エボルブドパケットシステム（Ｅｖｏｌｖｅｄ  Ｐａｃｋｅｔ  Ｓｙｓｔｅｍ）（ＥＰＳ）２００と呼ばれることがある。ＥＰＳ２００は、１つ以上のユーザ装置（ＵＥ）２０２と、エボルブドＵＭＴＳ地上無線アクセスネットワーク（Ｅ−ＵＴＲＡＮ）２０４と、エボルブドパケットコア（Ｅｖｏｌｖｅｄ  Ｐａｃｋｅｔ  Ｃｏｒｅ（ＥＰＣ）２１０と、ホーム加入者サーバ（Ｈｏｍｅ  Ｓｕｂｓｃｒｉｂｅｒ  Ｓｅｒｖｅｒ）（ＨＳＳ）２２０と、オペレータのＩＰサービス２２２と、を含むことができる。ＥＰＳは、その他のアクセスネットワークと相互接続可能であるが、簡略化を目的としてそれらのエンティティ／インタフェースは示されない。示されるように、ＥＰＳは、パケット交換サービスを提供するが、当業者が容易に評価することになるように、この開示全体にわたって提示された様々な概念は、回線交換サービスを提供するネットワークに拡張することができる。
【００１６】
Ｅ−ＵＴＲＡＮは、エボルブドＮｏｄｅＢ（ｅＮＢ）２０６と、その他のｅＮＢ２０８と、を含む。ｅＮＢ２０６は、ＥＵ２０２に向かうユーザ及び制御プレーンプロトコルの終端（ｔｅｒｍｉｎａｔｉｏｎ）を提供する。ｅＮＢ２０６は、Ｘ２インタフェース（すなわち、バックホール）介してその他のｅＮＢ２０８に接続することができる。ｅＮＢ２０６は、基地局、ベーストランシーバ局、無線基地局、無線トランシーバ、トランシーバ機能、ベーシックサービスセット（ＢＳＳ）、拡張サービスセット（ＥＳＳ）、又は何らかのその他の適切な用語で当業者によって呼ばれることもある。ｅＮＢ２０６は、ＥＵ２０２のためのＥＰＣ２１０にアクセスポイントを提供する。ＵＥ２０２の例は、携帯電話、スマートフォン、セッション開始プロトコル（ＳＩＰ）フォン、ラップトップ、パーソナルデジタルアシスタント（ＰＤＡ）、衛星無線、全地球測位システム、マルチメディアデバイス、ビデオデバイス、デジタルオーディオプレーヤー（例えば、ＭＰ３プレーヤー）、カメラ、ゲームコンソール、又はあらゆるその他の同様の機能デバイスを含む。ＵＥ２０２は、移動局、加入者局、モバイルユニット、加入者ユニット、無線ユニット、遠隔ユニット、モバイルデバイス、無線デバイス、無線通信デバイス、遠隔デバイス、モバイル加入者局、アクセス端末、モバイル端末、無線端末、遠隔端末、ハンドセット、ユーザエージェント、モバイルクライアント、クライアント、又は何らかのその他の用語で当業者によって呼ばれることもある。
【００１７】
ｅＮＢ２０６は、Ｓ１インタフェースによってＥＰＣ２１０に接続される。ＥＰＣ２１０は、移動性管理エンティティ（Ｍｏｂｉｌｉｔｙ  Ｍａｎａｇｅｍｅｎｔ  Ｅｎｔｉｔｙ（ＭＭＥ）２１２と、その他のＭＭＥ２１４と、サービングゲートウェイ２１６と、パケットデータネットワーク（ＰＤＮ）ゲートウェイ２１８と、を含む。ＭＭＥ２１２は、ＵＥ２０２とＥＰＣ２１０との間でのシグナリングを処理する制御ノードである。概して、ＭＭＥ２１２は、ベアラ及び接続管理を提供する。すべてのユーザＩＰパケットがサービングゲートウェイ２１６を通じて転送され、それ自体は、ＰＤＮゲートウェイ２１８に接続される。ＰＤＮゲートウェイ２１８は、ＵＥ  ＩＰアドレス割り当て及びその他の機能を提供する。ＰＤＮゲートウェイ２１８は、オペレータのＩＰサービス２２２に接続される。オペレータのＩＰサービス２２２は、インターネットと、イントラネットと、ＩＰマルチメディアサブシステム（ＩＭＳ）と、ＰＳストリーミングサービス（ＰＳＳ）と、を含む。
【００１８】
図３は、ＬＴＥネットワークアーキテクチャ内のアクセスネットワークの例を示す図である。この例においては、アクセスネットワーク３００は、幾つかのセルラー地域（セル）３０２に分割される。１つ以上のより低い電力クラスのｅＮＢ３０８、３１２は、セル３０２のうちの１つ以上と重なり合うセルラー地域３１０、３１４をそれぞれ有することができる。より低い電力クラスのｅＮＢ３０８、３１２は、フェムトセル（例えば、ホームｅＮＢ（ＨｅＮＢ））、ピコセル、又はミクロセルであることができる。セル３０２にはより高い電力クラス又はマクロのｅＮＢ３０４が割り当てられ、セル３０２内のすべてのＵＥ３０６のためのＥＰＣ２１０にアクセスポイントを提供するように構成される。アクセスネットワーク３００のこの例では集中型コントローラは存在しないが、代替構成では集中型コントローラを用いることができる。ｅＮＢ３０４は、無線ベアラ制御と、アドミッション制御と、移動性制御と、スケジューリングと、セキュリティと、サービングゲートウェイ２１６への接続性と、を含むすべての無線関連機能を担当する（図２参照）。
【００１９】
アクセスネットワーク３００によって採用された変調及び多元接続方式は、配備されている特定の通信規格に依存して変わることができる。ＬＴＥ用途においては、周波数分割複信（ＦＤＤ）及び時分割複信（ＴＤＤ）の両方をサポートするためにＤＬではＯＦＤＭが用いられ、ＵＬではＳＣ−ＦＤＭＡが用いられる。当業者が後続する詳細な説明から容易に評価することになるように、ここにおいて提示される様々な概念は、ＬＴＥ用途に非常に適する。しかしながら、これらの概念は、その他の変調及び多元接続技法を採用するその他の通信規格に容易に拡張させることができる。例として、これらの概念は、エボリューションデータオプティマイズド（Ｅｖｏｌｕｔｉｏｎ−Ｄａｔａ  Ｏｐｔｉｍｉｚｅｄ（ＥＶ−ＤＯ）又はウルトラモバイルブロードバンド（Ｕｌｔｒａ  Ｍｏｂｉｌｅ  Ｂｒｏａｄｂａｎｄ）（ＵＭＢ）に拡張させることができる。ＥＶ−ＤＯ及びＵＭＢは、ＣＤＭＡ２０００規格系統の一部として第３世代パートナーシッププロジェクト２（３ＧＰＰ２）によって公布されたエアインタフェース規格であり、移動局にブロードバンドインターネットアクセスを提供するためにＣＤＭＡを採用する。これらの概念は、ワイドバンドＣＤＭＡ（Ｗ−ＣＤＭＡ）及びＣＤＭＡのその他の変形、例えば、ＴＤ−ＳＣＤＭＡ、を採用するユニバーサル地上無線アクセス（ＵＴＲＡ）、ＴＤＭＡを採用するグローバル移動体通信システム（ＧＳＭ（登録商標））、及び、ＯＦＤＭＡを採用するエボルブドＵＴＲＡ（Ｅ−ＵＴＲＡ）、ウルトラモバイルブロードバンド（Ｕｌｔｒａ  Ｍｏｂｉｌｅ  Ｂｒｏａｄｂａｎｄ）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、及びＦｌａｓｈ−ＯＦＤＭに拡張させることも可能である。ＵＴＲＡ、Ｅ−ＵＴＲＡ、ＵＭＴＳ、ＬＴＥ及びＧＳＭは、３ＧＰＰ組織からの文書において説明される。ＣＤＭＡ２０００及びＵＭＢは、３ＧＰＰ２組織からの文書において説明される。採用される実際の無線通信規格及び多元接続技術は、特定の用途及びシステムに対して課せられた全体的な設計上の制約に依存する。
【００２０】
ｅＮＢ３０４は、ＭＩＭＯ技術をサポートする複数のアンテナを有することができる。ＭＩＭＯ技術の使用は、ｅＮＢ３０４が空間多重化、ビーム形成、及び送信ダイバーシティをサポートするために空間領域を利用するのを可能にする。
【００２１】
空間多重化は、データの異なるストリームを同じ周波数で同時に送信するために用いることができる。データストリームは、データレートを増大させるために単一のＵＥ３０６に又は全体的システム容量を増大させるために複数のＵＥ３０６に送信することができる。これは、各データストリームを空間プリコーディングし、次に、ダウンリンクで異なる送信アンテナを通じて各々の空間プリコーディングされたストリームを送信することによって達成される。空間プリコーディングされたデータストリームは、異なる空間シグナチャ（ｓｉｇｎａｔｕｒｅ）でＵＥ（複数を含む）３０６に到着し、それは、ＵＥ（複数を含む）３０６の各々がそのＵＥ３０６向けの１つ以上のデータストリームを復元するのを可能にする。アップリンクにおいて、各ＵＥ３０６は、空間プリコーディングされたデータストリームを送信し、それは、ｅＮＢ３０４が各々の空間プリコーディングされたデータストリームの源を特定するのを可能にする。
【００２２】
空間多重化は、チャネル状態が良好であるときに概して用いられる。チャネル状態がそれよりも好ましくないときには、１つ以上の方向の送信エネルギーを集中させるためにビーム形成を用いることができる。これは、複数のアンテナを通じての送信のためにデータを空間プリコーディングすることによって達成させることができる。セルの縁部において良好なカバレッジを達成させるために、単一のストリームビーム形成送信を送信ダイバーシティと組み合わせて用いることができる。
【００２３】
後続する詳細な説明においては、ダウンリンクでのＯＦＤＭをサポートするＭＩＭＯシステムを参照してアクセスネットワークの様々な態様が説明される。ＯＦＤＭは、ＯＦＤＭシンボル内の幾つかの副搬送波にわたってデータを変調する拡散スペクトル技法である。副搬送波は、正確な周波数で間隔をあけて配置される。間隔をあけることは、受信機が副搬送波からデータを復元するのを可能にする“直交性”を提供する。時間領域では、ＯＦＤＭシンボル間干渉に対処するために各ＯＦＤＭシンボルにガード間隔（例えば、サイクリックプリフィックス）を加えることができる。アップリンクは、高ピーク対平均電力比（ＰＡＲＲ）を補償するためにＤＦＴ−拡散ＯＦＤＭ信号の形態でＳＣ−ＦＤＭＡを用いることができる。
【００２４】
ＤＬ及びＵＬ送信をサポートするために様々なフレーム構造を用いることができる。今度は、図４を参照してＤＬフレーム構造の一例が提示される。しかしながら、当業者が容易に評価することになるように、特定の用途のためのフレーム構造は、要因の数に依存して異なることができる。この例では、フレーム（１０ｍｓ）は、１０の等しいサイズのサブフレームに分割される。各サブフレームは、２つの連続する時間スロットを含む。
【００２５】
２つの時間スロットを表すためにリソースグリッドを用いることができ、各時間スロットは、リソースブロックを含む。リソースグリッドは、複数のリソース要素に分割される。ＬＴＥでは、リソースブロックは、周波数領域において１２の連続する副搬送波を含み、各ＯＦＤＭシンボル内の通常のサイクリックプリフィックスのために、時間領域において７つの連続するＯＦＤＭシンボル、すなわち８４のリソース要素、を含む。Ｒ４０２、４０４として示されるリソース要素の一部は、ＤＬ基準信号（ＤＬ−ＲＳ）を含む。ＤＬ−ＲＳは、各々のセルごとのＲＳ（ＣＲＳ）（共通ＲＳとも呼ばれる）４０２と、各々のＵＥごとのＲＳ（ＵＥ−ＲＳ）４０４とを含む。ＵＥ−ＲＳ４０４は、対応する物理ダウンリンク共有チャネル（ＰＤＳＣＨ）がマッピングされるリソースブロックのみで送信される。各リソース要素によって搬送されるビット数は、変調方式に依存する。従って、ＵＥが受信するリソースブロックが多いほど及び変調方式が高いほど、ＵＥのためのデータレートが高くなる。
【００２６】
今度は、図５を参照してＵＬフレーム構造５００の一例が提示される。図５は、ＬＴＥにおけるＵＬのための典型的なフォーマットを示す。ＵＬのための利用可能なリソースブロックは、データ部及び制御部に区分することができる。制御部は、システム帯域幅の２つの縁部において形成することができ及び設定可能なサイズを有することができる。制御部内のリソースブロックは、制御情報の送信のためにＵＥに割り当てることができる。データ部は、制御部に含められないすべてのリソースブロックを含むことができる。図５の設計は、結果的に、隣接する副搬送波を含むデータ部が得られ、それは、単一のＵＥにデータ部内のすべての隣接する副搬送波を割り当てるのを可能にすることができる。
【００２７】
ＵＥには、ｅＮＢに制御情報を送信するために制御部においてリソースブロック５１０ａ、５１０ｂを割り当てることができる。ＵＥには、ｅＮＢにデータを送信するためにデータ部においてリソースブロック５２０ａ、５２０ｂを割り当てることもできる。ＵＥは、制御部の割り当てられたリソースブロックにおいて物理アップリンク制御チャネル（ＰＵＣＣＨ）で制御情報を送信することができる。ＵＥは、データ部の割り当てられたリソースブロックにおいて物理アップリンク共有チャネル（ＰＵＳＣＨ）でデータのみ又はデータおよび制御情報の両方を送信することができる。ＵＬ送信は、図５に示されるように、サブフレームの両スロットにまたがることができ及び周波数ホッピングすることができる。
【００２８】
図５に示されるように、最初のシステムアクセスを行って物理ランダムアクセスチャネル（ＰＲＡＣＨ）５３０においてＵＬ同期化を達成させるためにリソースブロックの組を用いることができる。ＰＲＡＣＨ５３０は、ランダムシーケンスを搬送し、どのようなＵＬデータ／シグナリングも搬送できない。各ランダムアクセスプリアンブルは、６つの連続するリソースブロックに対応する帯域幅を占有する。開始周波数はネットワークによって指定される。すなわち、ランダムアクセスプリアンブルの送信は、一定の時間及び周波数リソースに制限される。ＰＲＡＣＨに関する周波数ホッピングはない。ＰＲＡＣＨ試行は、単一のサブフレーム（１ｍｓ）で行われ、ＵＥは、フレーム（１０ｍｓ）ごとに単一のＰＲＡＣＨ試行のみを行うことができる。
【００２９】
ＬＴＥにおけるＰＵＣＣＨ、ＰＵＳＣＨ、及びＰＲＡＣＨは、公に入手可能である“Evolved Universal Terrestrial Radio Access(E-UTRA): Physical Channels and Modulation”（“エボルブドユニバーサル地上無線アクセス（Ｅ−ＵＴＲＡ）：物理チャネル及び変調”）という題名の３ＧＰＰ  ＴＳ３６．２１１で説明される。
【００３０】
無線プロトコルアーキテクチャは、特定の用途に依存して様々な形態をとることができる。今度は、図６を参照してＬＴＥシステムに関する一例が提示される。図６は、ユーザ及び制御プレーンのための無線プロトコルアーキテクチャの例を示す概念図である。
【００３１】
図６を参照し、ＵＥ及びｅＮＢのための無線プロトコルアーキテクチャが３つの層：層１、層２、及び層３とともに示される。層１は、最下位層であり、様々な物理層信号処理機能を実装する。層１は、ここでは物理層６０６と呼ばれる。層２（Ｌ２層）６０８は、物理層６０６の上方に存在し、物理層６０６上でのＵＥとｅＮＢとの間でのリンクを担当する。
【００３２】
ユーザプレーンにおいては、Ｌ２層６０８は、メディアアクセス制御（ＭＡＣ）副層６１０と、無線リンク制御（ＲＬＣ）副層６１２と、パケットデータコンバージェンスプロトコル（ｐａｃｋｅｔ  ｄａｔａ  ｃｏｎｖｅｒｇｅｎｃｅ  ｐｒｏｔｏｃｏｌ）（ＰＤＣＰ）６１４副層と、を含み、それらは、ネットワーク側のｅＮＢで終端される。示されていないが、ＵＥは、Ｌ２層６０８の上方において幾つかの上位層を有することができ、ネットワーク側のＰＤＮゲートウェイ２０８（図２参照）において終端されるネットワーク層（例えば、ＩＰ層）と、コネクションの他方の端部（例えば、遠端ＵＥ、サーバ、等）で終端されるアプリケーション層と、を含む。
【００３３】
ＰＤＣＰ副層６１４は、異なる無線ベアラと論理チャネルとの間での多重化を提供する。ＰＤＣＰ副層６１４は、無線送信オーバーヘッドを低減させるための上位層データパケットのためのヘッダ圧縮、データパケットを暗号化することによるセキュリティ、及びｅＮＢ間のＵＥのためのハンドオーバーサポートも提供する。ＲＬＣ副層６１２は、上位層データパケットのセグメンテーションと再組み立て、失われたデータパケットの再送信、及びハイブリッド自動再送要求（ＨＡＲＱ）に起因する順序通りでない受信を補償するためのデータパケットの再順序設定を提供する。ＭＡＣ副層６１０は、論理チャネルとトランスポートチャネルとの間での多重化を提供する。ＭＡＣ副層６１０は、ＵＥ間で１つのセル内の様々な無線リソース（例えば、リソースブロック）を割り当てることも担当する。ＭＡＣ副層６１０は、ＨＡＲＱ動作も担当する。
【００３４】
制御プレーンにおいては、ＵＥ及びｅＮＢのための無線プロトコルアーキテクチャは、物理層６０６及びＬ２層６０８に関して実質的に同じであり、制御プレーンのためのヘッダ圧縮機能が存在しないことが例外である。制御プレーンは、層３において無線リソース制御（ＲＲＣ）副層６１６も含む。ＲＲＣ副層６１６は、無線リソース（すなわち、無線ベアラ）を入手すること及びｅＮＢとＵＥとの間でのＲＲＣシグナリングを用いて下位層を構成することを担当する。
【００３５】
図７は、アクセスネットワークにおいてＵＥ７５０と通信するｅＮＢ７１０のブロック図である。ＤＬでは、コアネットワークからの上位層パケットがコントローラ／プロセッサ７７５に提供される。コントローラ／プロセッサ７７５は、図６と関係させて上記において説明されたＬ２層の機能を実装する。ＤＬでは、コントローラ／プロセッサ７７５は、様々な優先度メトリックに基づいてヘッダ圧縮、暗号化、パケットのセグメンテーションと再順序設定、論理チャネルとトランスポートチャネルとの間での多重化、及びＵＥ７５０への無線リソース割り当てを提供する。コントローラ／プロセッサ７７５は、ＨＡＲＱ動作、失われたパケットの再送信、及びＵＥ７５０へのシグナリングも担当する。
【００３６】
ＴＸプロセッサ７１６は、Ｌ１層（すなわち、物理層）のための様々な信号処理機能を実装する。信号処理機能は、ＵＥ７５０での前方誤り訂正（ＦＥＣ）を容易にするための符号化及びインターリービングと、様々な変調方式（例えば、二位相偏移変調（ＢＰＳＫ）、直交位相偏移変調（ＱＰＳＫ）、Ｍ位相偏移変調（Ｍ−ＰＳＫ）、Ｍ直交振幅変調（Ｍ−ＱＡＭ））に基づく信号点配置へのマッピングとを含む。符号化及び変調されたシンボルは、平行ストリームに分割される。各ストリームは、ＯＦＤＭ副搬送波にマッピングされ、時間及び／又は周波数領域で基準信号（例えば、パイロット）と多重化され、逆高速フーリエ変換（ＩＦＦＴ）を用いてまとめて結合され、時間領域ＯＦＤＭシンボルストリームを搬送する物理チャネルが生成される。ＯＦＤＭストリームは、複数の空間ストリームを生成するために空間プリコーディングされる。符号化及び変調方式を決定するために、及び空間処理のためにチャネル推定器７７４からのチャネル推定値を用いることができる。チャネル推定値は、ＵＥ７５０によって送信された基準信号及び／又はチャネル状態フィードバックから導き出すことができる。次に、各空間ストリームは、別々の送信機７１８ＴＸを介して異なるアンテナ７２０に提供される。各送信機７１８ＴＸは、送信のためにＲＦ搬送波を各々の空間ストリームとともに変調する。
【００３７】
ＵＥ７５０において、各受信機７５４ＲＸは、それの各々のアンテナ７５２を通じて信号を受信する。各受信機７５４ＲＸは、ＲＦ搬送波上に変調された情報を復元し、その情報を受信機（ＲＸ）プロセッサ７５６に提供する。
【００３８】
ＲＸプロセッサ７５６は、Ｌ１層の様々な信号処理機能を実装する。ＲＸプロセッサ７５６は、情報に対する空間処理を行い、ＵＥ７５０向けの空間ストリームを復元する。複数の空間ストリームがＵＥ７５０向けである場合は、それらは、ＲＸプロセッサ７５６によって結合して単一のＯＦＤＭシンボルストリームにすることができる。次に、ＲＸプロセッサ７５６は、高速フーリエ変換（ＦＦＴ）を用いて時間領域から周波数領域にＯＦＤＭシンボルストリームを変換する。周波数領域信号は、ＯＦＤＭ信号の各副搬送波のための別々のＯＦＤＭシンボルストリームを含むことができる。各副搬送波上のシンボル、及び基準信号は、ｅＮＢ７１０によって送信された最も可能性が高い信号点配置を決定することによって復元及び復調される。これらのソフト決定は、チャネル推定器７５８によって計算されたチャネル推定値に基づくことができる。次に、ソフト決定が復号及びデインターリービングされ、物理チャネルでｅＮＢ７１０によって最初に送信されたデータ及び制御信号が復元される。次に、データ及び制御信号は、コントローラ／プロセッサ７５９に提供される。
【００３９】
コントローラ／プロセッサ７５９は、図６と関係させて上述されるＬ２層を実装する。ＵＬでは、制御（ｃｏｎｔｒｏｌ）／プロセッサ７５９は、コアネットワークから上位層パケットを復元するための、トランスポートチャネルと論理チャネルとの間での多重分離、パケット再組み立て、復号、ヘッダ伸張、制御信号処理を提供する。次に、上位層パケットは、データシンク７６２に提供され、それは、Ｌ２層上方の全プロトコル層を表す。様々な制御信号をＬ３処理のためにデータシンク７６２に提供することもできる。コントローラ／プロセッサ７５９は、ＨＡＲＱ動作をサポートするために確認応答（ＡＣＫ）及び／又は否定応答（ＮＡＣＫ）プロトコルを用いた誤り訂正も担当する。
【００４０】
ＵＬにおいて、コントローラ／プロセッサ７５９に上位層パケットを提供するためにデータ源７６７が用いられる。データ源７６７は、Ｌ２層（Ｌ２）上方の全プロトコル層を表す。ｅＮＢ７１０によるＤＬ送信と関係させて説明される機能と同様に、コントローラ／プロセッサ７５９は、ｅＮＢ７１０による無線リソース割り当てに基づいてヘッダ圧縮、暗号化、パケットのセグメンテーションと再順序設定、及び論理チャネルとトランスポートチャネルとの間での多重化を提供することによってユーザプレーン及び制御プレーンのためのＬ２層を実装する。コントローラ／プロセッサ７５９は、ＨＡＲＱ動作、失われたパケットの再送信、及びｅＮＢ７１０へのシグナリングも担当する。
【００４１】
ｅＮＢ７１０によって送信された基準信号又はフィードバックからチャネル推定器７５８によって導き出されたチャネル推定値は、適切な符号化及び変調方式を選択するために、及び空間処理を容易にするためにＴＸプロセッサ７６８によって用いることができる。ＴＸプロセッサ７６８によって生成された空間ストリームは、別々の送信機７５４ＴＸを介して異なるアンテナ７５２に提供される。各送信機７５４ＴＸは、送信のためにＲＦ搬送波を各々の空間ストリームとともに変調する。
【００４２】
ＵＬ送信は、ＵＥ７５０における受信機機能と関係させて説明されるそれと同様の方法でｅＮＢ７１０において処理される。各受信機７１８ＲＸは、それの各々のアンテナ７２０を通じて信号を受信する。各受信機７１８ＲＸは、ＲＦ搬送波上に変調された情報を復元し、ＲＸプロセッサ７７０にその情報を提供する。ＲＸプロセッサ７７０は、Ｌ１層を実装する。
【００４３】
コントローラ／プロセッサ７５９は、図６と関係させて上述されるＬ２層を実装する。ＵＬにおいて、制御／プロセッサ７５９は、ＵＥ７５０から上位層パケットを復元するための、トランスポートチャネルと論理チャネルとの間での多重分離、パケット再組み立て、復号、ヘッダ伸張、制御信号処理を提供する。コントローラ／プロセッサ７７５からの上位層パケットは、コアネットワークに提供することができる。コントローラ／プロセッサ７５９は、ＨＡＱＲ動作をサポートするためにＡＣＫ及び／又はＮＡＣＫプロトコルを用いた誤り検出も担当する。
【００４４】
図１と関連して説明される処理システム１１４は、ｅＮＢ７１０を含むことができる。特に、処理システム１１４は、ＴＸプロセッサ７１６と、ＲＸプロセッサ７７０と、コントローラ／プロセッサ７７５と、を含むことができる。図１と関連して説明される処理システム１１４は、ＵＥ７５０を含むことができる。特に、処理システム１１４は、ＴＸプロセッサ７６８と、ＲＸプロセッサ７５６と、コントローラ／プロセッサ７５９と、を含むことができる。
【００４５】
今度は図８を参照し、無線通信デバイス（ＷＣＤ）例８００が示される。図８において描かれるように、ＷＣＤ８００は、例えば、受信アンテナ（示されていない）から信号を受信し、受信された信号に対して典型的な動作（例えば、フィルタリング、増幅、及びダウンコンバージョン）を行い、コンディショニングされた信号をデジタル化してサンプルを得る。受信機８０２は、受信されたシンボルを復調してそれらをチャネル推定のためにプロセッサ８０６に提供することができる復調器８０４を備えることができる。プロセッサ８０６は、受信機８０２によって受信された情報を解析すること及び／又は送信機８２０による送信のための情報を生成することを専用とするプロセッサ、ＷＣＤ８００の１つ以上のコンポーネントを制御するプロセッサ、及び／又は受信機８０２によって受信された情報を解析し、送信機８２０による送信のための情報を生成し、ＷＣＤ８００の１つ以上のコンポーネントを制御するプロセッサであることができる。
【００４６】
ＷＣＤ８００は、プロセッサ８０６に動作可能な形で結合され及び送信されるべきデータ、受信されたデータ、利用可能なチャネルに関連する情報、解析された信号及び／又は干渉強度と関連付けられたデータ、割り当てられたチャネル、電力、レート、等に関連する情報、及び、チャネルを推定し及びそのチャネルを介して通信するためのその他の適切な情報を格納することができるメモリ８０８をさらに備えることができる。メモリ８０８は、チャネルを推定及び／又は利用することと関連付けられたプロトコル及び／又はアルゴリズム（例えば、性能に基づく、容量に基づく、等）をさらに格納することができる。
【００４７】
さらに、プロセッサ８０６は、複数のセルからの成分を含む信号を受信し、１つ以上のチャネル推定方式を用いて受信された信号からチャネルを推定し、受信された信号から推定されたチャネルを用いる成分信号を除去して処理された信号を生成し及び処理された信号内の残留信号を検出するための手段を提供することができる。
【００４８】
ここにおいて説明されるメモリ８０８は、揮発性メモリ又は非揮発性メモリであることができ、又は揮発性メモリと非揮発性メモリの両方を含むことができることが評価されるであろう。例として及び限定することなしに、非揮発性メモリは、読取専用メモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）、又はフラッシュメモリを含むことができる。揮発性メモリは、外部のキャッシュメモリとして動作するランダムアクセスメモリ（ＲＡＭ）を含むことができる。例として及び限定することなしに、ＲＡＭは、数多くの形態、例えば同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクトランバス（Ｒａｍｂｕｓ）ＲＡＭ（ＤＲＲＡＭ（登録商標））、で入手可能である。主題のシステム及び方法のメモリ８０８は、限定されることなしに、これらの及びその他の適切なタイプのメモリを備えることができる。
【００４９】
ＷＣＤ８００は、ダウンリンク取得信号におけるＷＣＤ８００のための干渉の低減又はキャンセルを容易にするための干渉低減／キャンセル（ＩＤＣ）モジュール８３０をさらに含むことができる。一態様においては、ＩＤＣモジュール８３０は、チャネル推定モジュール８３２と、処理された信号生成モジュール８３４と、残留信号検出モジュール８３６と、を含むことができる。一態様においては、チャネル推定モジュール８３２は、１つ以上のチャネル推定方式を用いて受信された信号からチャネルを推定するために動作可能であることができる。一態様においては、処理された信号生成モジュール８３４は、受信された信号からチャネル推定モジュール８３２によって生成された推定されたチャネルを用いる成分信号を除去して処理された信号を生成するために動作可能であることができる。一態様においては、残留信号検出モジュール８３６は、処理された信号内の残留信号を検出するために動作可能であることができる。
【００５０】
さらに、ＷＣＤ８００は、ユーザインタフェース８４０を含むことができる。ユーザインタフェース８４０は、ＷＣＤ８００内への入力を生成するための入力機構８４２と、ＷＣＤ８００のユーザによる消費のための情報を生成するための出力機構８４４と、を含むことができる。例えば、入力機構８４２は、キー又はキーボード、マウス、タッチ画面式ディスプレイ、マイク、等の機構を含むことができる。さらに、例えば、出力機構８４４は、ディスプレイと、オーディオスピーカーと、触覚式フィードバック機構と、パーソナルエリアネットワーク（ＰＡＮ）トランシーバと、等を含むことができる。例示された態様においては、出力機構８４４は、画像又は映像形式のメディアコンテンツを提示するために動作可能なディスプレイ又はオーディオ形式のメディアコンテンツを提示するためのオーディオスピーカーを含むことができる。
【００５１】
図９を参照し、複数の受信アンテナ９０６を通じて１つ以上のユーザデバイス２０２から信号を受信する受信機９１０及び複数の送信アンテナ９０８を通じて１つ以上のユーザデバイス２０２に送信する送信機９２２を有するｅＮｏｄｅＢ９０２を含むことができるシステム例９００。受信機９１０は、受信アンテナ９０６から情報を受信することができ、受信された情報を復調する復調器９１２と動作可能な形で関連付けられる。復調されたシンボルは、プロセッサ９１４によって解析され、それは、とりわけ、モバイルデバイスの性能測定および位置特定に関連する情報を格納するメモリ９１６に結合される。プロセッサ９１４は、受信機９１０によって受信された情報を解析すること及び／又は送信機９２２による送信のための情報を生成することを専用とするプロセッサ、基地局９０２の１つ以上のコンポーネントを制御するプロセッサ、及び／又は受信機９１０によって受信された情報を解析し、送信機９２２による送信のための情報を生成し、及び基地局９０２の１つ以上のコンポーネントを制御するプロセッサであることができる。上記されるように、基地局９０２は、プロセッサ９１４に動作可能な形で結合されてとりわけモバイルデバイスの性能測定及び位置特定に関連する情報を格納するプロセッサ９１４に動作可能な形で結合されるメモリ９１６をさらに備えることができる。ここにおいて説明されるデータ格納（例えば、メモリ）コンポーネントは、揮発性メモリ又は非揮発性メモリであることができ、又は揮発性メモリと非揮発性メモリの両方を含むことができることが評価されるであろう。例として及び限定することなしに、非揮発性メモリは、読取専用メモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）、又はフラッシュメモリを含むことができる。揮発性メモリは、外部のキャッシュメモリとして動作するランダムアクセスメモリ（ＲＡＭ）を含むことができる。例として及び限定することなしに、ＲＡＭは、数多くの形態、例えば同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクトランバス（Ｒａｍｂｕｓ）ＲＡＭ（ＤＲＲＡＭ(登録商標)）、で入手可能である。主題の装置及び方法のメモリ９１６は、限定されることなしに、これらの及びその他の適切なタイプのメモリを備えることが意図される。
【００５２】
プロセッサ９１４は、ダウンリンク取得信号におけるＷＣＤ９００のための干渉の低減又はキャンセルを容易にするための干渉低減／キャンセル（ＩＤＣ）モジュール９３０にさらに結合される。一態様においては、ＩＤＣモジュール９３０は、チャネル推定モジュール９３２と、処理された信号生成モジュール９３４と、残留信号検出モジュール９３６と、を含むことができる。一態様においては、チャネル推定モジュール９３２は、１つ以上のチャネル推定方式を用いて受信された信号からチャネルを推定するために動作可能であることができる。一態様においては、処理された信号生成モジュール９３４は、受信された信号からチャネル推定モジュール９３２によって生成された推定されたチャネルを用いる成分信号を除去して処理された信号を生成するために動作可能であることができる。一態様においては、残留信号検出モジュール９３６は、処理された信号内の残留信号を検出するために動作可能であることができる。
【００５３】
図１０を参照し、干渉低減システム１０００、例えば、図２に描かれたＭＭＥ２１２、の詳細なブロック図が例示される。干渉低減システム１０００は、あらゆるタイプのハードウェア、サーバ、パソコン、ミニコンピュータ、メインフレームコンピュータ、又は専用又は汎用計算デバイスのいずれかの計算デバイス、のうち少なくとも１つを備えることができる。さらに、干渉低減システム１０００において動作されるか又は干渉低減システム１０００によって実行されるとしてここにおいて説明されるモジュール及びアプリケーションは、図２において示されるように、単一のネットワークデバイスのみにおいて実行することができ、又は代替として、その他の態様においては、別個のサーバ、データベース又はコンピュータデバイスが、当事者に使用可能な形式でデータを提供するために及び／又は通信デバイス２０２と干渉低減システム１０００によって実行されるモジュール及びアプリケーションとの間でのデータフローにおいて別個の制御層を提供するために協力して働くことができる。
【００５４】
干渉低減システム１０００は、有線及び無線ネットワークを通じてデータを送信及び受信することができ及びルーチン及びアプリケーションを実行することができるコンピュータプラットフォーム１００２を含む。コンピュータプラットフォーム１００２は、メモリ１００４を含み、それは、揮発性及び非揮発性メモリ、例えば、読取専用及び／又はランダムアクセスメモリ（ＲＯＭ及びＲＡＭ）、ＥＰＲＯＭ、ＥＥＰＲＯＭ、フラッシュカード、又はコンピュータプラットフォームに共通するあらゆるメモリ、を備えることができる。さらに、メモリ１００４は、１つ以上のフラッシュメモリセルを含むことができ、又は、いずれかの第２次又は第３次の記憶装置、例えば、磁気媒体、光学媒体、テープ、ソフト又はハードディスク、であることができる。さらに、コンピュータプラットフォーム１００２は、プロセッサ１０３０も含み、それは、特定用途向け集積回路（“ＡＳＩＣ”）、又はその他のチップセット、論理回路、又はその他のデータ処理デバイスであることができる。プロセッサ１０３０は、有線又は無線ネットワークでのメディアコンテンツ配信システムの機能性及びネットワークデバイスの動作性を可能にする、ハードウェア、ファームウェア、ソフトウェア、及びそれらの組み合わせにおいて具現された様々な処理サブシステム１０３２、を含むことができる。
【００５５】
コンピュータプラットフォーム１００２は、干渉低減システム１００の様々なコンポーネント間での、及び干渉低減システム１０００、デバイス２０２及びｅＮｏｄｅＢ２０６の間での通信を可能にする、ハードウェア、ファームウェア、ソフトウェア、及びそれらの組み合わせにおいて具現された通信モジュール１０５０、をさらに含む。通信モジュール１０５０は、無線通信コネクションを確立するための不可欠なハードウェア、ファームウェア、ソフトウェア及び／又はそれらの組み合わせを含むことができる。説明される態様により、通信モジュール１０５０は、要求されたコンテンツ項目、制御情報、アプリケーション、等の無線ブロードキャスト、マルチキャスト及び／又はユニキャスト通信を容易にするために必要なハードウェア、ファームウェア及び／又はソフトウェアを含むことができる。
【００５６】
干渉低減システム１０００のメモリ１００４は、ダウンリンク取得信号におけるシステムのための干渉の低減又はキャンセルを容易にするために動作可能なＩＤＣモジュール１０１０を含む。一態様においては、ＩＤＣモジュール１０１０は、チャネル推定モジュール１０１２と、処理された信号生成モジュール１０１４と、残留信号検出モジュール１０１６と、を含むことができる。一態様においては、チャネル推定モジュール１０１２は、１つ以上のチャネル推定方式を用いて受信された信号からチャネルを推定するために動作可能であることができる。一態様においては、処理された信号生成モジュール１０１４は、受信された信号からチャネル推定モジュール１０１２によって生成された推定されたチャネルを用いる成分信号を除去して処理された信号を生成するために動作可能であることができる。一態様においては、残留信号検出モジュール１０１６は、処理された信号内の残留信号を検出するために動作可能であることができる。
【００５７】
図１１は、基地局及びユーザ装置を用いた取得信号での干渉のキャンセル、低減又は除去を容易にするシステム例１１００を示し、キャンセル又は低減は、ユーザ装置で行われる。システム１１００は、ユーザ装置１１０４（ＵＥ）と通信することができる幾つかの異なるコンポーネント、例えば、基地局１１０２（例えば、アクセスポイント、Ｎｏｄｅ  Ｂ、ｅＮｏｄｅＢ、ｅＮＢ又はその他の適切なデバイス）、を含むことができる。ユーザ装置は、例えば、ここにおいて説明される移動局、モバイルデバイス、及びその他の適切なデバイス及び／又はあらゆる数の適切なデバイスの形態をとることができる。基地局１１０２は、様々な異なる方法で、例えば、順方向リンクチャネル又はダウンリンクチャネルを通じて、ユーザ装置１１０４に情報を送信することができる。さらに、基地局１１０２は、少なくとも逆方向リンクチャネル又はアップリンクチャネルを通じてユーザ装置１１０４から情報を受信することができる。
【００５８】
システム１１００は、幾つかの異なる配備下で動作することができる。例えば、システム１１００は、ＭＩＭＯシステムであることができる。さらに、システム１１００は、ＯＦＤＭＡ無線ネットワークで動作することができる。適切なＯＦＤＭＡ無線ネットワークの例は、とりわけ、８ＧＰＰ、８ＧＰＰ２、８ＧＰＰ、及びＬＴＥを含む。
【００５９】
ユーザ装置１１０４は、例えば、基地局１１０２からのダウンリンク信号の取得を容易にすることができる信号取得コンポーネント１１０６を含むことができる。ここにおいて、用語“強力なセル”、“より強力なセル”及び“最も強力なセル”は、強力な、より強力な又は最も強力な信号を有するセルをそれぞれ表す。用語“弱いセル”、“より弱いセル”及び“最も弱いセル”は、弱い、より弱い又は最も弱い信号を有するセルをそれぞれ表す。同質のネットワークにおいては、ユーザ装置１１０４は、例えば、ダウンリンク取得信号からサービス提供セルを探すこと、及び、最も強力な信号を有するセルをサービス提供セルとして選択又は使用することができる。他方、異質のネットワークにおいては、最も強力なセルは、ユーザ装置１１０４によってアクセスできないことがあり、このため、ユーザ装置１１０４は、最も強力なセルよりも有意に弱いサービス提供セルを探すことが必要になる場合がある。これらの及びその他の状況においては、プライマリ同期信号（ｐｒｉｍａｒｙ  ｓｙｎｃｈｒｏｎｉｚａｔｉｏｎ  ｓｉｇｎａｌ）（ＰＳＳ）及び／又はセカンダリ同期信号（ｓｅｃｏｎｄａｒｙ  ｓｙｎｃｈｒｏｎｉｚａｔｉｏｎ  ｓｉｇｎａｌ）（ＳＳＳ）からのセルの検出は、十分に信頼できないことがある。該方法から誤って検出されたセルは、その結果として、劣化したＩＣ性能が得られる可能性がある。さらに、干渉キャンセル後の信号は、セル信号間タイミングがオフである場合でも弱すぎるか及び／又はその他のセルデータ干渉を受けやすいことがある。実際の実装は、より多くの帯域幅を要求することができる。セルが同じＰＳＳ  ＩＤを有するときにも性能上の課題が存在する。
【００６０】
信号取得コンポーネント１１０６は、例えば、干渉低減コンポーネント１１１０と、チャネル推定コンポーネント１１０８と、処理された信号生成コンポーネント１１１２と、を含むことができる。干渉低減コンポーネント１１１０、チャネル推定コンポーネント１１０８及び処理された信号生成コンポーネント１１１２の各々は、例えば、受信された信号内の干渉を除去又は低減させるため、受信された信号から推定されたチャネルを用いる成分信号を除去するため、
処理された信号を生成するため、及び処理された信号内の残留信号を生成又は検出するためにまとめて用いることができる。処理された信号生成コンポーネント１１１２は、処理された及び／又はその他の信号がそのようにして入手された時点でそれらを生成する。処理された信号生成コンポーネント１１１２は、信号に対する追加処理、例えば、信号のフィルタリング、スケーリング又は処理、を行うことができる。
【００６１】
干渉低減コンポーネント１１１０は、ユーザ装置１１０４がより弱いサービス提供セルにアクセスできるようにその他のセルからの干渉をキャンセル、除去、又は低減させることができる。干渉低減コンポーネント１１１０による干渉セルからの信号のキャンセル、除去、又は低減は、例えば、チャネル推定を通じてチャネル推定コンポーネント１１０８によって干渉低減コンポーネント１１１０に提供されるチャネル推定値又はチャネル推定値（複数）の関数であることができる。チャネル推定は、干渉のキャンセル、低減、又は除去において有用であることができ、とりわけ、信号に対するチャネルの影響の特徴を表すプロセスである。チャネル推定は、強力なセルからの残留信号からの干渉を低減させるのに特に役立つことができる。
【００６２】
チャネル推定コンポーネント１１０８は、チャネル推定を行うために様々な機構／方法を採用することができる。一変形により、例えば、チャネル推定コンポーネント１１０８は、チャネルを推定するために検出されたＰＳＳを用いることができる。該チャネル推定は、強力なセル信号を再構築するために後続して用いることができ、それらは、強力なセル信号をキャンセルして除去するために用いることができる。とりわけ、ＰＳＳは一貫したＳＳＳ検出が行われるときに初期のセル探索において通常は容易に利用可能であるため、チャネル推定のためにＰＳＳを用いることは有益であることが可能である。しかしながら、複数のｅＮＢが同じＰＳＳを共有することができるため、ＰＳＳは、特にシステム内に３つのＰＳＳしか存在しないときに、単一周波数ネットワーク（ＳＦＮ）の効果を有することができる。
【００６３】
他の変形においては、チャネル推定コンポーネント１１０８は、チャネルを推定するために検出されたＳＳＳを用いることができる。１つのシステムごとに多数のＳＳＳが存在することができる（例えば、特定のシステム内には１６８もの又はそれ以上のＳＳＳが存在することができる）。多数のＳＳＳに起因して、ＳＦＮ効果は、チャネルを推定するためにＰＳＳが用いられるときよりもチャネルを推定するためにＳＳＳが用いられるときのほうがより低い可能性がある。これは、いずれか２つのｅＮＢが同じＳＳＳを共有する尤度（ｌｉｋｅｌｉｈｏｏｄ）は、いずれか２つのｅＮＢが同じＰＳＳを共有する尤度よりも相当低いことに起因する。
【００６４】
他の変形においては、チャネル推定コンポーネント１１０８は、基準信号（ＲＳ）に基づくチャネル推定を行うことができる。より具体的には、ユーザ装置１１０４は、強力なセルを取得して強力なセルに対応するＲＳシンボルを用いてチャネル推定値を入手することができる。この変形では、ＲＳシンボルは、広帯域であることができ、及び、隣接する複数のサブフレームを含むことができる。複数のサブフレームにわたってＲＳシンボルを結合させることは、マルチメディアブロードキャストユニキャスト単一周波数ネットワーク（ＭＢＳＦＮ）の存在に又は空白のサブフレームに依存することができる。
【００６５】
ＭＢＳＦＮサブフレームは、制御領域とデータ領域とを含むことができる。一態様においては、データ領域に送信のためのデータを割り当てないことができ、従って、ＭＢＳＦＮサブフレームのデータ部は、空白のサブフレームに類似することができる。さらに、空白のサブフレームは、送信が生じないサブフレームを意味することができる。この及びその他の場合は、ＭＢＳＦＮ／空白のサブフレームの存在は、システム情報ブロック（ＳＩＢ）から入手するか又は確認することができる。ＭＢＳＦＮサブフレームを用いることで、チャネルの推定を援助するために制御領域内の最初の２つのシンボル内のＲＳを結合することができる。さらに、空白のサブフレームは飛び越すことができる。
【００６６】
単一アンテナシステムと多アンテナシステムとの間ではＲＳに基づくチャネル推定を行うことの実装において違いが存在することか可能である。例えば、単一アンテナシステムでは、ＲＳに基づくチャネルを直接使用可能である。代替として、多送信アンテナシステムに関しては、ＰＳＳ／ＳＳＳは、ＵＥが送信位相を決定して送信を適切に復号するのを可能にするためのプリコーディングベクトルステアリング（ｐｒｅｃｏｄｉｎｇ  ｖｅｃｔｏｒ  ｓｔｅｅｒｉｎｇ）（ＰＶＳ）を用いることができる。対照的に、ＲＳに基づくアプローチ法は、ＰＶＳを用いない。特に、プリコーディングベクトルは、システムフレーム番号（ＳＦＮ）又はその他の量にリンクさせることができる。さらに、ＲＳに基づくチャネル推定値は、プリコーディングベクトルを乗じてＰＳＳ／ＳＳＳのためのチャネルを入手することができる。
【００６７】
さらに他の変形により、チャネル推定コンポーネント１１０８は、物理ブロードキャストチャネル（ＰＢＣＨ）によって補助されたチャネル推定を行うことができる。この変形では、ユーザ装置１１０４は、強力なセルのＰＢＣＨを復号し及び復号されたＰＢＣＨを用いてチャネル推定を行うこと又は向上させることができる。復号された強力なセルのＰＢＣＨは、誤アラームの尤度を低減させるために用いることもできる。用語“誤アラーム”は、とりわけ、検出されたセルが本当に存在するかどうかに関する誤った特定を意味する。
【００６８】
物理ブロードキャストチャネル（ＰＢＣＨ）によって補助されたチャネル推定を行うための実装は、単一アンテナシステムと多アンテナシステムとの間で異なることができる。単一アンテナシステムでは、例えば、ＰＢＣＨから推定された物理チャネル信号は、ＰＳＳ／ＳＳＳに直接適用することができる。他方、多アンテナシステムに関しては、ＰＢＣＨから推定された物理チャネルは、プリコーディングベクトルを乗じてＰＳＳ／ＳＳＳに適用されたチャネルを入手することができる。
【００６９】
信号取得コンポーネント１１０６は、誤アラームを低減させるための検証コンポーネント１１１４を含むこともできる。一変形では、検証コンポーネント１１１４は、基準信号受信電力（ＲＳＲＰ）の測定に基づいて誤アラームを低減させるか又は検証を行うことができる。これは、例えば、ＲＳＲＰを幾つかの量と比較することによって行うことができる。例えば、検証コンポーネント１１１４は、ＲＳＲＰをスレショルド、例えば、絶対的な又は予め定義された又は定義されたスレショルド値、と比較することができる。検証コンポーネント１１１４は、ＲＳＲＰを、検出された最も強力なセルから生成された相対的スレショルド、及び／又は複数の検出されたセルの平均から生成されたスレショルドと比較することができる。この変形は、例えばＲｅｌ−８においてＲＳＲＰ測定が既に要求されるという点で有益である。さらに、その変形方法は、信頼性を向上させる。しかしながら、ＲＳＲＰ測定／スレショルド設定は、時間平均が関係する可能性があり又は必要になる可能性さえある。これは、結果的に増大された探索時間が生じることがある。
【００７０】
他の変形により、検証コンポーネント１１１４は、ＰＢＣＨ復号に基づいて誤アラームを低減させるか又は検証を行うことができる。この変形では、例えば、セルの存在は、残留信号に対する巡回冗長検査（ＣＲＣ）を行うことによって確認することができる。ＰＢＣＨは１６ビットのＣＲＣを有するため、このＣＲＣは、有効なセルの信頼できる指示を与えることができる。さらに、ＣＲＣのための検出時間は、ＲＳＲＰの測定及び平均よりも短い。概して、ユーザ装置１１０４は、多くの、さらにはすべての近隣セルに関してＰＢＣＨを復号することが必要な場合がある。
【００７１】
さらに他の変形では、検証コンポーネント１１１４は、ＲＳＲＰ測定に基づく検証をＰＢＣＨ復号に基づく検証と組み合わせることができる。例えば、ＰＢＣＨは、ＲＳＲＰが一定のスレショルドを超えるセルのみに関して復号することができる。とりわけ、この変形は、結果的に良好な信頼性及び低減された複雑さ／電力消費が得られる。さらに、ＲＳＲＰは、長い平均長を必ずしも要求しない。
【００７２】
信号取得コンポーネント１１０６のスケールコンポーネント１１１６及びユーザ装置１１０４は、弱い残留信号を向上させるために及び／又はそれらの検出性を向上させるために信号スケーリングを行うことができる。強力な干渉のキャンセル又は低減から入手された残留信号は、検出能力と比較して、相対的に弱い可能性がある。従って、弱い信号を取り扱う、使用する又は解釈するために大きいビット幅が必要なことがある。さらに、システムが厳密に同期でないときには、弱い信号を解釈することは、キャンセルすること、低減させること又は除去することが容易でない強力なセルからのデータの存在によってより困難になる可能性がある。応答して、スケールコンポーネント１１１６は、キャンセル後に自動利得制御（ＡＧＣ）を行うことができる。ＡＧＣは、例えば、残留信号が受信された信号と同様のレベルに達するように残留信号強度を高めるために（例えば、干渉のキャンセル、除去又は低減後の信号強度を高めるために）用いることができる。該スケーリングは、例えば、チャネル推定コンポーネント１１０８からの推定されたチャネル及び／又は受信された信号と残留信号との間のエネルギー差に基づくことができる。
【００７３】
ＵＥ１１０４は、強力なセル及び弱いセルが同じＰＳＳを有するときに信号を取得し及び干渉を低減させるように構成させることもできる。この状況では、チャネル推定の誤差は、希望されるＰＳＳを部分的に又は実効的にキャンセルする可能性がある。例えば、マクロの周囲の全フェムトｅＮＢがマクロからの異なるＰＳＳを使用する場合に慎重な計画策定がこの状況に対処することができる。他の選択肢は、ＵＥが複数の類似の推定されたチャネルを区別するのを可能にするために推定されたチャネル及び検出されたタイミングと関連付けられた情報を格納することである。
【００７４】
図１２は、基地局及びユーザ装置を用いた取得信号における干渉のキャンセル、低減又は除去を容易にするシステム例１２００を例示し、ここで、キャンセル又は低減は、基地局で行われる。基地局１１０２、１２０４内の以下に示されて説明されるコンポーネント及び機能は、ユーザ装置１１０４、１２０２内に存在可能であること及びその逆も可能であることが理解されるべきである。
【００７５】
システム１２００は、ユーザ装置１２０２（ＵＥ）と通信することができる幾つかの異なるコンポーネント、例えば、基地局１２０４（例えば、アクセスポイント、ＮｏｄｅＢ、ｅＮｏｄｅＢ、ｅＮＢ又はその他の適切なデバイス）を含むことができる。ユーザ装置は、例えば、ここにおいて説明される移動局、モバイルデバイス、及びその他の適切なデバイスの形態をとること及び／又はあらゆる数の適切なデバイスであることができる。基地局１２０４は、様々な異なる方法で、例えば、順方向リンクチャネル又は逆方向リンクチャネルで、ユーザ装置１２０２に情報を送信することができる。さらに、基地局１２０４は、少なくとも逆方向リンクチャネル又はアップリンクチャネルを通じてユーザ装置１２０２から情報を受信することができる。
【００７６】
システム１２００は、幾つかの異なる配置下で動作することができる。例えば、システム１１００は、ＭＩＭＯシステムであることができる。さらに、システム１２００は、ＯＦＤＭＡ無線ネットワークで動作することができる。適切なＯＦＤＭＡ無線ネットワークの例は、とりわけ、８ＧＰＰ、８ＧＰＰ２、８ＧＰＰ、及びＬＴＥを含む。
【００７７】
基地局１２０４は、例えば、ダウンリンク信号の取得を容易にすることができる信号取得コンポーネント１２０６を含むことができる。ここにおいて、用語“強力なセル”、“より強力なセル”及び“最も強力なセル”は、強力な、より強力な又は最も強力な信号を有するセルをそれぞれ表す。用語“弱いセル”、“より弱いセル”及び“最も弱いセル”は、弱い、より弱い又は最も弱い信号を有するセルをそれぞれ表す。同質のネットワークにおいては、基地局１２０４は、例えば、ダウンリンク取得信号からサービス提供セルを探すこと、及び、最も強力な信号を有するセルをサービス提供セルとして選択又は使用することができる。他方、異質のネットワークにおいては、最も強力なセルは、基地局１２０４によってアクセスできないことがあり、このため、基地局１２０４は、最も強力なセルよりも有意に弱いサービス提供セルを探すことが必要になる場合がある。これらの及びその他の状況においては、ＰＳＳ及び／又はＳＳＳからのセルの検出は、十分に信頼できないことがある。該方法から誤って検出されたセルは、その結果として、劣化したＩＣ性能が得られる可能性がある。さらに、干渉キャンセル後の信号は、セル信号間タイミングがオフである場合でも弱すぎるか及び／又はその他のセルデータ干渉を受けやすいことがある。実際の実装は、より多くの帯域幅を要求することができる。セルが同じＰＳＳ  ＩＤを有するときにも性能上の課題が存在する。
【００７８】
信号取得コンポーネント１２０６は、例えば、干渉低減コンポーネント１２１０と、チャネル推定コンポーネント１２０８と、処理された信号生成コンポーネント１２１２と、を含むことができる。干渉低減コンポーネント１２１０、チャネル推定コンポーネント１２０８及び処理された信号生成コンポーネント１２１２の各々は、例えば、受信された信号内の干渉を除去又は低減させるため、受信された信号から推定されたチャネルを用いる成分信号を除去して処理された信号を生成するため、及び処理された信号内の残留信号を生成又は検出するためにまとめて用いることができる。処理された信号生成コンポーネント１２１２は、処理された及び／又はその他の信号がそのようにして入手された時点でそれらを生成する。処理された信号生成コンポーネント１２１２は、信号に対する追加処理、例えば、信号のフィルタリング、スケーリング又は処理、を行うことができる。
【００７９】
干渉低減コンポーネント１２１０は、基地局１２０４がより弱いサービス提供セルにアクセスできるように強力な干渉セルをキャンセル、除去、又は低減させることができる。干渉低減コンポーネント１２１０による干渉セルからの信号のキャンセル、除去、又は低減は、例えば、チャネル推定を通じてチャネル推定コンポーネント１２０８によって干渉低減コンポーネント１２１０に提供されるチャネル推定値又はチャネル推定値（複数）の関数であることができる。チャネル推定は、干渉のキャンセル、低減、又は除去において有用であることができ、とりわけ、信号に対するチャネルの影響の特徴を表すプロセスである。チャネル推定は、強力なセルからの残留信号からの干渉を低減させるのに特に役立つことができる。
【００８０】
チャネル推定コンポーネント１２０８は、チャネル推定を行うために様々な機構／方法を採用することができる。一変形により、例えば、チャネル推定コンポーネント１２０８は、チャネルを推定するために検出されたＰＳＳを用いることができる。該チャネル推定は、キャンセルすべき強力なセル信号を再構築するために後続して用いることができる。とりわけ、ＰＳＳは一貫したＳＳＳ検出が行われるときに初期のセル探索において通常は容易に利用可能であるため、チャネル推定のためにＰＳＳを用いることは有益であることが可能である。しかしながら、ＰＳＳは、特にシステム内に３つのＰＳＳしか存在しないときに、単一周波数ネットワーク（ＳＦＮ）の効果を有することができる。
【００８１】
他の変形においては、チャネル推定コンポーネント１２０８は、チャネルを推定するために検出されたＳＳＳを用いることができる。１つのシステムごとに多数のＳＳＳが存在することができる（例えば、特定のシステム内には１６８もの又はそれ以上のＳＳＳが存在することができる）。多数のＳＳＳに起因して、ＳＦＮ効果は、チャネルを推定するためにＰＳＳが用いられるときよりもチャネルを推定するためにＳＳＳが用いられるときのほうがより低い可能性がある。
【００８２】
他の変形においては、チャネル推定コンポーネント１２０８は、基準信号（ＲＳ）に基づくチャネル推定を行うことができる。より具体的には、ユーザ装置１１０４は、強力なセルを取得して強力なセルに対応するＲＳシンボルを用いてチャネル推定値を入手することができる。この変形では、ＲＳシンボルは、広帯域であることができ、及び、隣接する複数のサブフレームを含むことができる。複数のサブフレームにわたってＲＳシンボルを結合させることは、ＭＢＳＦＮの存在に又は空白のサブフレームに依存することができる。
【００８３】
単一アンテナシステムと多アンテナシステムとの間ではＲＳに基づくチャネル推定を行うことの実装において違いが存在することが可能である。例えば、単一アンテナシステムでは、ＲＳに基づくチャネルを直接使用可能である。代替として、多送信アンテナシステムに関しては、ＰＳＳ／ＳＳＳは、ＵＥが送信位相を決定して送信を適切に復号するのを可能にするためのプリコーディングベクトルステアリング（ＰＶＳ）を用いることができる。対照的に、ＲＳに基づくアプローチ法は、ＰＶＳを用いない。特に、プリコーディングベクトルは、システムフレーム番号（ＳＦＮ）又はその他の量にリンクさせることができる。さらに、ＲＳに基づくチャネル推定値は、プリコーディングベクトルを乗じてＰＳＳ／ＳＳＳのためのチャネルを入手することができる。
【００８４】
さらに他の変形により、チャネル推定コンポーネント１２０８は、物理ブロードキャストチャネル（ＰＢＣＨ）によって補助されたチャネル推定を行うことができる。この変形では、ユーザ装置１２０４は、強力なセルのＰＢＣＨを復号し及び復号された強力なセルのＰＢＣＨを用いてチャネル推定を行うこと又は向上させることができる。復号された強力なセルのＰＢＣＨは、誤アラームを低減させるために用いることもでき、ここで、“誤アラームを低減させる”とは、とりわけ、見かけ上検出されたセルが本当に存在するか又は検出可能であるかを特定することを意味する。
【００８５】
単一アンテナシステムと多アンテナシステムとの間では物理ブロードキャストチャネル（ＰＢＣＨ）によって補助されたチャネル推定を行うことの実装において違いが存在することが可能である。単一アンテナシステムでは、例えば、ＰＢＣＨによって経験された物理チャネルは、ＰＳＳ／ＳＳＳに直接適用することができる。他方、多アンテナシステムに関しては、ＰＢＣＨによって経験された物理チャネルは、プリコーディングベクトルを乗じてＰＳＳ／ＳＳＳに適用されたチャネルを入手することができる。
【００８６】
信号取得コンポーネント１２０６は、誤アラームを低減させるための検証コンポーネント１２１４を含むこともできる。一変形では、検証コンポーネント１２１４は、基準信号受信電力（ＲＳＲＰ）の測定に基づいて誤アラームを低減させるか又は検証を行うことができる。これは、例えば、ＲＳＲＰを幾つかの量と比較することによって行うことができる。例えば、検証コンポーネント１２１４は、ＲＳＲＰをスレショルド、例えば、絶対的な又は予め定義された又は定義されたスレショルド値、と比較することができる。検証コンポーネント１２１４は、ＲＳＲＰを、検出された最も強力なセルから生成された相対的スレショルド、及び／又は複数の検出されたセルの平均から生成されたスレショルドと比較することができる。この変形は、例えばＲｅｌ−８においてＲＳＲＰ測定が既に要求されるという点で有益である。さらに、その変形方法は、信頼性を向上させる。しかしながら、ＲＳＲＰ測定／スレショルド設定は、時間平均が関係する可能性があり又は必要になる可能性さえある。これは、結果的に増大された探索時間が生じることがある。
【００８７】
他の変形により、検証コンポーネント１２１４は、ＰＢＣＨ復号に基づいて誤アラームを低減させるか又は検証を行うことができる。この変形では、例えば、セルの存在は、残留信号に対する巡回冗長検査（ＣＲＣ）を行うことによって確認することができる。ＰＢＣＨは１６ビットのＣＲＣを有するため、このＣＲＣは、有効なセルの信頼できる指示を与えることができる。さらに、ＣＲＣのための検出時間は、ＲＳＲＰの測定及び平均よりも短い。概して、ユーザ装置１２０４は、多くの、さらにはすべての近隣セルに関してＰＢＣＨを復号することが必要な場合がある。
【００８８】
さらに他の変形では、検証コンポーネント１２１４は、ＲＳＲＰ測定に基づく検証をＰＢＣＨ復号に基づく検証と組み合わせることができる。例えば、ＰＢＣＨは、ＲＳＲＰが一定のスレショルドを超えるセルのみに関して復号することができる。とりわけ、この変形は、結果的に良好な信頼性及び低減された複雑さ／電力消費が得られる。さらに、ＲＳＲＰは、長い平均長を必ずしも要求しない。
【００８９】
信号取得コンポーネント１２０６のスケールコンポーネント１２１６及びユーザ装置１２０４は、弱い残留信号を向上させるために及び／又はそれらの検出性を向上させるために信号スケーリングを行うことができる。強力な干渉のキャンセル又は低減から入手された残留信号は、検出能力と比較して、相対的に弱い可能性がある。従って、弱い信号を取り扱う、使用する又は解釈するために大きいビット幅が必要なことがある。さらに、システムが厳密に同期でないときには、弱い信号を解釈することは、キャンセルすること、低減させること又は除去することが容易でない強力なセルからのデータの存在によってより困難になる可能性がある。応答して、スケールコンポーネント１２１６は、キャンセル後に自動利得制御（ＡＧＣ）を行うことができる。ＡＧＣは、例えば、残留信号が受信された信号と同様のレベルに達するように残留信号強度を高めるために（例えば、干渉のキャンセル、除去又は低減後の信号強度を高めるために）用いることができる。該スケーリングは、例えば、とりわけ、チャネル推定コンポーネント１２０８からの推定されたチャネル及び／又は受信された信号と残留信号との間のエネルギー差に基づくことができる。
【００９０】
基地局１２０４は、強力なセル及び弱いセルが同じＰＳＳを有するときに信号を取得し及び干渉を低減させるように構成することもできる。この状況では、チャネル推定の誤差は、希望されるＰＳＳを部分的に又は実効的にキャンセルする可能性がある。例えば、マクロの周囲の全フェムトｅＮＢがマクロからの異なるＰＳＳを使用する場合に慎重な計画策定がこの状況に対処することができる。他の選択肢は、複数の類似のラベルが付された推定されたチャネルを区別するのを可能にするために推定されたチャネル及び検出されたタイミングと関連付けられた情報を格納することである。
【００９１】
図１３乃至１６は、請求される主題による様々な方法及び装置を例示する。説明の簡略化を目的として、方法は、一連の行為として示されて説明される一方で、幾つかの行為は、ここにおいて示されて説明される順序と異なる順序で及び／又はその他の行為と同時並行して生じることができるため、請求される主題は行為の順序によって限定されないことが理解及び評価されるべきである。例えば、方法は、例えば状態図内におけるように一連の相互に関連する状態又はイベントとして代替で表すことが可能であることを当業者は理解及び評価するであろう。さらに、請求される主題により方法を実装するためにすべての例示される行為が要求されるわけではない。さらに、以後において及びこの明細書全体を通じて開示される方法は、該方法をコンピュータにトランスポート及び転送するのを容易にするための製造品に格納可能であることがさらに評価されるべきである。ここにおいて用いられる場合の用語製造品は、あらゆるコンピュータによって読み取り可能なデバイス、キャリア、又は媒体からアクセス可能なコンピュータプログラムを包含することが意図される。
【００９２】
図１３を参照し、ＵＥと、第１のｅＮＢと、あらゆる適切な数の追加のｅＮＢ又はＵＥと、を含むことができるシステム１３００。さらに、システム１３００での動作では、ＵＥ又はｅＮＢのいずれかが干渉を低減又はキャンセルすることができる。
【００９３】
参照数字１３０２において、ＵＥ又はｅＮＢは、１つ以上のチャネル推定方式を用いて受信された信号からチャネルを推定することができる。受信された信号は、複数のセルからの成分を含むことができる。参照数字１３０４において、ＵＥ又はｅＮＢは、受信された信号から推定されたチャネルを用いる成分信号を除去して処理された信号を生成することができる。参照数字１３０６において、ＵＥ又はｅＮＢは、処理された信号内の残留信号を検出することができる。
【００９４】
一態様においては、ＵＥ又はｅＮＢは、受信された信号においてプライマリ同期信号をさらに検出し、プライマリ同期信号を用いてチャネル推定値を生成することができる。
【００９５】
さらに他の態様においては、ＵＥ又はｅＮＢは、受信された信号においてセカンダリ同期信号をさらに検出し、セカンダリ同期信号を用いてチャネル推定値を生成することができる。
【００９６】
他の態様においては、ＵＥ又はｅＮＢは、基準信号をさらに入手し、基準信号を用いてチャネル推定値を生成することができる。ＵＥ又はｅＮＢは、第１のセルからの信号をさらに検出することができ、第１のセルからの信号は、基準信号シンボルを有する基準信号を含み、基準信号シンボルを用いて推定されたチャネルを入手することができる。基準信号シンボルは、複数のサブフレームにわたって基準信号内に含めることができる。基準信号シンボルは、マルチメディアブロードキャスト単一周波数ネットワーク（ＭＢＳＦＮ）サブフレーム又は空白のサブフレームのいずれかにおいて基準信号内に含めることもできる。この態様においては、ＵＥ又はｅＮＢは、単一アンテナシステムを用いて直接基準シンボルをさらに検出するか又はプリコーディングベクトルステアリングを用いてプライマリ及び第２の（ｓｅｃｏｎｄ）同期信号を検出すること、又は多アンテナシステムにおいて直接基準シンボルを検出することができる。一態様においては、ＵＥ又はｅＮＢは、単一アンテナシステムにおいて基準シンボルからチャネルをさらに推定し、プライマリ又はセカンダリ同期信号からのチャネル推定値のうちの少なくとも１つと結合することができる。
【００９７】
他の態様においては、ＵＥ又はｅＮＢは、多アンテナシステムにおいて基準シンボルからチャネルをさらに推定し、プリコーディングベクトルステアリングを用いてプライマリ又はセカンダリ信号からのチャネル推定値のうちの少なくとも１つと結合することができる。ＵＥ又はｅＮＢは、プライマリ及びセカンダリ同期信号で用いられるプリコーディングベクトルをセルＩＤ及びシステムフレーム番号とさらにリンクさせることができる。
【００９８】
一態様においては、１つ以上のチャネル推定方式のうちの１つは、第１のセル物理ブロードキャストチャネルを復号することと、受信された信号と関連付けられたプライマリ同期信号及びセカンダリ同期信号に復号された第１のセル物理ブロードキャストチャネルを適用することと、を含む。この態様においては、ＵＥ又はｅＮＢは、物理ブロードキャストチャネルにプリコーディングベクトルをさらに乗じてプライマリ同期信号及びセカンダリ同期信号に適用するチャネルを入手することができる。ＵＥ又はｅＮＢは、プライマリ及びセカンダリ同期信号において用いられるプリコーディングベクトルをセルＩＤ及びシステムフレーム番号とさらにリンクさせることができる。
【００９９】
一態様においては、ＵＥ又はｅＮＢは、１つ以上の誤アラーム低減方式をさらに適用することができる。１つ以上の誤アラーム低減方式のうちの１つは、残留信号の受信された電力をスレショルド値と比較することを含むことができる。スレショルド値は、定義されたスレショルド値、検出された最も強力なセルから生成されたスレショルド又は複数の検出されたセルの平均から生成されたスレショルドのうちの少なくとも１つを含むことができる。一態様においては、ＵＥ又はｅＮＢは、検出された信号に対する巡回冗長検査をさらに行うことができる。他の態様においては、ＵＥ又はｅＮＢは、基準信号受信電力が残留信号におけるスレショルドよりも高いことをさらに決定し、残留信号から物理ブロードキャストチャネルを復号することができる。
【０１００】
一態様においては、残留信号に対して自動利得制御を行うことができる。この態様においては、ＵＥ又はｅＮＢは、推定されたチャネル又は受信された信号と残留信号との間のエネルギー差のうちの少なくとも１つに基づいて残留信号にスケーリングファクタをさらに適用することができる。ＵＥ又はｅＮＢは、残留信号および推定されたチャネルと関連付けられた信号が類似の送信されたプライマリ同期信号を有することをさらに決定し、推定されたチャネル及び検出されたタイミングと関連付けられた情報を格納することができ、格納された情報は、検出されたプライマリ同期信号をさらに含むことができる。
【０１０１】
図１４は、典型的な装置１４００の機能を例示する概念的ブロック図である。図１４を参照し、システム１４００は、第１のＵＥと、第１のｅＮＢと、あらゆる適切な数の追加のｅＮＢ又はＵＥとを含むことができる。さらに、システム１４００での動作においては、ＵＥ又はｅＮＢは、干渉を低減又はキャンセルすることができる。
【０１０２】
装置１４００は、１つ以上のチャネル推定方式を用いて受信された信号内の受信された信号からチャネルを推定することができるモジュール１４０２を含む。装置１４００は、受信された信号から推定されたチャネルを除去して処理された信号を生成することができるモジュール１４０４も含む。受信された信号は、複数のセルからの成分を含むことができる。さらに、装置１４００は、処理された信号内の残留信号を検出することができるモジュール１４０６を含む。
【０１０３】
一態様においては、モジュール１４０２は、受信された信号においてプライマリ同期信号を検出し、プライマリ同期信号を用いてチャネル推定値を生成することができる。他の態様においては、モジュール１４０２は、受信された信号においてセカンダリ同期信号を検出し、セカンダリ同期信号を用いてチャネル推定値を生成することができる。
【０１０４】
さらに他の態様においては、モジュール１４０２は、基準信号を入手し、基準信号を用いてチャネル推定値を生成することができる。この態様においては、モジュール１４０２は、第１のセルからの信号をさらに検出することができ、第１のセルからの信号は、基準信号シンボルを有する基準信号を含み、基準信号シンボルを用いて推定されたチャネルを入手することができる。この態様においては、基準信号シンボルは、複数のサブフレームにわたって基準信号内に含めることができる。この態様においては、基準信号シンボルは、ＭＢＳＦＮサブフレーム又は空白のサブフレームのいずれかにおいて基準信号内に含めることもできる。この態様においては、モジュール１４０２は、単一アンテナシステムを用いて直接基準シンボルをさらに検出するか又はプリコーディングベクトルステアリングを用いてプライマリ及び第２の同期信号を検出すること、又は多アンテナシステムにおいて直接基準シンボルを検出することができる。
【０１０５】
他の態様においては、モジュール１４０４は、第１のセル物理ブロードキャストチャネルを復号し、受信された信号と関連付けられたプライマリ同期信号及びセカンダリ同期信号に復号された第１のセル物理ブロードキャストチャネルを適用することができる。この態様においては、モジュール１４０４は、物理ブロードキャストチャネルにプリコーディングベクトルをさらに乗じてプライマリ同期信号及びセカンダリ同期信号に適用するチャネルを入手することができる。
【０１０６】
一態様においては、モジュール１４０６は、処理された信号内の残留信号を検出することができる。他の態様においては、モジュール１４０６は、１つ以上の誤アラーム低減方式を適用することができる。この態様においては、モジュール１４０６は、基準信号の受信された電力をスレショルド値と比較することができる。この態様においては、スレショルド値は、定義されたスレショルド値、検出された最も強力なセルから生成されたスレショルド、又は複数の検出されたセルの平均から生成されたスレショルドのうちの少なくとも１つを含むことができる。一態様においては、モジュール１４０６は、残留信号に対する巡回冗長検査を行うことができる。他の態様においては、モジュール１４０６は、残留信号に対する巡回冗長検査を行うことができる。
【０１０７】
一態様においては、モジュール１４０６は、残留信号に対する自動利得制御を行うことができる。この態様においては、モジュール１４０６は、推定されたチャネル、又は受信された信号と残留信号との間のエネルギー差のうちの少なくとも１つに基づいて残留信号にスケーリングファクタを適用することができる。一態様においては、残留信号および推定されたチャネルと関連付けられた信号が同じプライマリ同期信号を有することを決定することができ、及び、推定されたチャネル及び検出されたタイミングと関連付けられた情報を格納することができる。
【０１０８】
図１５を参照し、ＵＥと、第１のｅＮＢと、あらゆる適切な数の追加のｅＮＢ又はＵＥとを含むことができるシステム１５００。さらに、システム１５００での動作においては、ＵＥ又はｅＮＢのいずれかが干渉を低減又はキャンセルすることができる。
【０１０９】
参照数字１５０２において、ＵＥ又はｅＮＢは、１つ以上のチャネル推定方式を用いて受信された信号内の受信された信号からチャネルを推定することができる。参照数字１５０４において、ＵＥ又はｅＮＢは、受信された信号から推定されたチャネルを除去して処理された信号を生成することができる。受信された信号は、複数のセルからの成分を含むことができる。参照数字１５０６において、ＵＥ又はｅＮＢは、処理された信号内の残留信号を検出することができる。参照数字１５０８において、ＵＥ又はｅＮＢは、１つ以上の誤アラーム低減方式を適用することができる。参照数字１５１０において、ＵＥ又はｅＮＢは、残留信号に対する自動利得制御を行うことができる。
【０１１０】
一態様においては、ＵＥ又はｅＮＢは、受信された信号においてプライマリ同期信号をさらに検出し、プライマリ同期信号を用いてチャネル推定値を生成することができる。他の態様においては、ＵＥ又はｅＮＢは、受信された信号においてセカンダリ同期信号をさらに検出し、セカンダリ同期信号を用いてチャネル推定値を生成することができる。
【０１１１】
さらに他の態様においては、ＵＥ又はｅＮＢは、基準信号をさらに入手し、基準信号を用いてチャネル推定値を生成することができる。この態様においては、ＵＥ又はｅＮＢは、第１のセルから信号を検出することができ、第１のセルからの信号は、基準信号シンボルを有する基準信号を含み、基準信号シンボルを用いて推定されたチャネルを入手することができる。この態様においては、基準信号シンボルは、複数のサブフレームにわたって基準信号内に含めることができる。この態様においては、基準信号シンボルは、ＭＢＳＦＮサブフレーム又は空白のサブフレームのいずれかにおいて基準信号内に含めることもできる。この態様においては、ＵＥ又はｅＮＢは、単一アンテナシステムを用いて直接基準シンボルを検出するか又はプリコーディングベクトルステアリングを用いてプライマリ及び第２の同期信号を検出すること、又は多アンテナシステムにおいて直接基準シンボルを検出することができる。
【０１１２】
他の態様においては、ＵＥ又はｅＮＢは、第１のセル物理ブロードキャストチャネルを復号し、受信された信号と関連付けられたプライマリ同期信号及びセカンダリ同期信号に復号された第１のセル物理ブロードキャストチャネルを適用することができる。この態様においては、ＵＥ又はｅＮＢは、物理ブロードキャストチャネルにプリコーディングベクトルを乗じてプライマリ同期信号及びセカンダリ同期信号に適用するチャネルを入手することができる。
【０１１３】
一態様においては、ＵＥ又はｅＮＢは、基準信号の受信された電力をスレショルド値と比較することができる。この態様においては、スレショルド値は、定義されたスレショルド値、検出された最も強力なセルから生成されたスレショルド、又は複数の検出されたセルの平均から生成されたスレショルドのうちの少なくとも１つを含むことができる。一態様においては、１つ以上の誤アラーム低減方式のうちの１つは、残留信号に対する巡回冗長検査を行うことを含むことができる。他の態様においては、ＵＥ又はｅＮＢは、残留信号に対する巡回冗長検査をさらに行うことができる。
【０１１４】
一態様においては、ＵＥ又はｅＮＢは、自動利得制御を行うこと及び推定されたチャネル、又は受信された信号と残留信号との間のエネルギー差のうちの少なくとも１つに基づいて残留信号にスケーリングファクタを適用することができる。一態様においては、残留信号および推定されたチャネルと関連付けられた信号が同じプライマリ同期信号を有することを決定することができ、及び、推定されたチャネル及び検出されたタイミングと関連付けられた情報を格納することができる。
【０１１５】
図１６は、典型的な装置１６００の機能を例示する概念的ブロック図である。図１６を参照し、システム１６００は、第１のＵＥと、第１のｅＮＢと、あらゆる適切な数の追加のｅＮＢ又はＵＥとを含むことができる。さらに、システム１６００での動作においては、ＵＥ又はｅＮＢは、干渉を低減又はキャンセルすることができる。
【０１１６】
装置１６００は、１つ以上のチャネル推定方式を用いて受信された信号内の受信された信号からチャネルを推定することができるモジュール１６０２を含む。装置１６００は、受信された信号から推定されたチャネルを除去して処理された信号を生成することができるモジュール１６０４を含む。受信された信号は、複数のセルからの成分を含むことができる。装置１６００は、処理された信号内の残留信号を検出することができるモジュール１６０６を含む。装置１６００は、１つ以上の誤アラーム低減方式を適用することができるモジュール１６０８を含む。装置１６００は、残留信号に対する自動利得制御を行うことができるモジュール１６１０を含む。
【０１１７】
一態様においては、モジュール１６０２は、受信された信号においてプライマリ同期信号を検出し、プライマリ同期信号を用いてチャネル推定値を生成することができる。他の態様においては、モジュール１６０２は、受信された信号においてセカンダリ同期信号を検出し、セカンダリ同期信号を用いてチャネル推定値を生成することができる。
【０１１８】
さらに他の態様においては、モジュール１６０２は、基準信号を入手し、基準信号を用いてチャネル推定値を生成することができる。この態様においては、モジュール１６０２は、第１のセルから信号をさらに検出することができ、第１のセルからの信号は、基準信号シンボルを有する基準信号を含み、基準信号シンボルを用いて推定されたチャネルを入手することができる。この態様においては、基準信号シンボルは、複数のサブフレームにわたって基準信号内に含めることができる。この態様においては、基準信号シンボルは、ＭＢＳＦＮサブフレーム又は空白のサブフレームのいずれかにおいて基準信号内に含めることもできる。この態様においては、モジュール１６０２は、単一アンテナシステムを用いて直接基準シンボルをさらに検出するか又はプリコーディングベクトルステアリングを用いてプライマリ及び第２の同期信号を検出すること、又は多アンテナシステムにおいて直接基準シンボルを検出することができる。
【０１１９】
他の態様においては、モジュール１６０４は、第１のセル物理ブロードキャストチャネルを復号し、受信された信号と関連付けられたプライマリ同期信号及びセカンダリ同期信号に復号された第１のセル物理ブロードキャストチャネルを適用することができる。この態様においては、モジュール１６０４は、物理ブロードキャストチャネルにプリコーディングベクトルをさらに乗じてプライマリ同期信号及びセカンダリ同期信号に適用するチャネルを入手することができる。
【０１２０】
一態様においては、モジュール１６０６は、処理された信号内の残留信号を検出することができる。他の態様においては、モジュール１６０８は、１つ以上の誤アラーム低減方式を適用することができる。この態様においては、モジュール１６０８は、基準信号の受信された電力をスレショルド値と比較することができる。この態様においては、スレショルド値は、定義されたスレショルド値、検出された最も強力なセルから生成されたスレショルド、又は複数の検出されたセルの平均から生成されたスレショルドのうちの少なくとも１つを含むことができる。一態様においては、モジュール１６０４は、残留信号に対する巡回冗長検査を行うことができる。他の態様においては、モジュール１６０４は、残留信号に対する巡回冗長検査を行うことができる。
【０１２１】
一態様においては、モジュール１６１０は、残留信号に対する自動利得制御を行うことができる。この態様においては、モジュール１６１０は、推定されたチャネル、又は受信された信号と残留信号との間のエネルギー差のうちの少なくとも１つに基づいて残留信号にスケーリングファクタを適用することができる。一態様においては、残留信号および推定されたチャネルと関連付けられた信号が同じプライマリ同期信号を有することを決定することができ、及び、推定されたチャネル及び検出されたタイミングと関連付けられた情報を格納することができる。
【０１２２】
図１及び図７を参照し、一構成においては、無線通信のための装置１００は、１つ以上のチャネル推定方式を用いて受信された信号からチャネルを推定するための手段と、受信された信号から推定されたチャネルを用いる成分信号を除去して処理された信号を生成するための手段と、処理された信号内の残留信号を検出するための手段と、を含むことができる。一構成においては、推定するための手段は、受信された信号においてプライマリ同期信号を検出するための手段と、プライマリ同期信号を用いてチャネル推定値を生成するための手段と、をさらに含むことができる。一構成においては、推定するための手段は、受信された信号においてセカンダリ同期信号を検出するための手段と、セカンダリ同期信号を用いてチャネル推定値を生成するための手段と、をさらに含むことができる。他の構成においては、推定するための手段は、基準信号を入手するための手段と、基準信号を用いてチャネル推定値を生成するための手段と、をさらに含むことができる。
【０１２３】
一構成においては、入手するための手段は、第１のセルからの信号を検出するための手段であって、第１のセルからの信号は、基準信号シンボルを有する基準信号を含む手段と、基準信号シンボルを用いて推定されたチャネルを入手するための手段と、をさらに含むことができる。この構成においては、基準信号シンボルは、複数のサブフレームにわたって基準信号内に含めることができる。基準信号シンボルは、ＭＢＳＦＮサブフレーム又は空白のサブフレームのいずれかにおいて基準信号内に代替で含めることができる。一構成においては、基準信号シンボルを用いて推定されたチャネルを入手するための手段は、単一アンテナシステムにおいて基準信号からチャネルを推定するための手段と、プライマリ又はセカンダリ同期信号からのチャネル推定値のうちの少なくとも１つと結合するための手段と、をさらに含む。他の構成においては、基準信号シンボルを用いて推定されたチャネルを入手するための手段は、多アンテナシステムにおいて基準シンボルからチャネルを推定するための手段と、プリコーディングベクトルステアリングを用いてプライマリ又はセカンダリ信号からのチャネル推定値のうちの少なくとも１つと結合するための手段と、をさらに含む。この構成においては、プライマリ及びセカンダリ同期信号内で用いられるプリコーディングベクトルをセルＩＤ及びシステムフレーム番号とリンクさせるための手段をさらに含むことができる。
【０１２４】
一構成においては、装置１００は、１つ以上のチャネル推定方式を用いて受信された信号からチャネルを推定するための手段を含み、第１のセル物理ブロードキャストチャネルを復号するための手段と、受信された信号と関連付けられたプライマリ同期信号及びセカンダリ同期信号に復号された第１のセル物理ブロードキャストチャネルを適用するための手段と、を含むことができる。この構成においては、適用するための手段は、物理ブロードキャストチャネルにプリコーディングベクトルを乗じてプライマリ同期信号及びセカンダリ同期信号に適用するチャネルを入手するための手段をさらに含むことができる。この構成においては、プライマリ及びセカンダリ同期信号において用いられるプリコーディングベクトルをセルＩＤ及びシステムフレーム番号とリンクさせるための手段をさらに含むことができる。一構成においては、装置１００は、検出するための手段を含み、１つ以上の誤アラーム低減方式を適用するための手段をさらに含むことができる。この構成においては、１つ以上の誤アラーム低減方式のうちの１つを適用するための手段は、残留信号の受信された電力をスレショルド値と比較するための手段を含むことができる。この構成においては、スレショルド値は、定義されたスレショルド、検出された最も強力なセルから生成されたスレショルド、又は複数の検出されたセルの平均から生成されたスレショルドのうちの少なくとも１つを含むことができる。一構成においては、装置１００は、１つ以上の誤アラーム低減方式のうちの１つを適用するための手段を含み、検出された信号に対する巡回冗長検査を行うための手段を含むことができる。他の構成においては、装置１００は、１つ以上の誤アラーム低減方式のうちの１つを適用するための手段を含み、基準信号受信電力が残留信号におけるスレショルドよりも高いことを決定するための手段と、残留信号から物理ブロードキャストチャネルを復号するための手段と、を含むことができる。
【０１２５】
一構成においては、装置１００は、残留信号に対する自動利得制御を行うための手段を含む。この構成においては、自動利得制御を行うための手段は、推定されたチャネル又は受信された信号と残留信号との間のエネルギー差のうちの少なくとも１つに基づいて残留信号にスケーリングファクタを適用するための手段をさらに含むことができる。
【０１２６】
一構成においては、装置１００は、残留信号および推定されたチャネルと関連付けられた信号が類似する送信されたプライマリ同期信号を有することを決定するための手段と、推定されたチャネル及び検出されたタイミングと関連付けられた情報を格納するための手段と、を含み、格納された情報は、検出されたプライマリ同期信号をさらに含むことができる。
【０１２７】
上記の手段は、上記の手段によって記述された機能を実行するように構成された処理システム１１４である。上述されるように、処理システム１１４は、ＴＸプロセッサ７１６と、ＲＸプロセッサ７７０と、コントローラ／プロセッサ７７５と、を含む。従って、一構成においては、上記の手段は、上記の手段によって記述された機能を実行するように構成されたＴＸプロセッサ７１６、ＲＸプロセッサ７７０、及びコントローラ／プロセッサ７７５であることができる。
【０１２８】
開示されたプロセス内のステップの特定の順序又は階層は、典型的なアプローチ法の一例であることが理解される。設計上の優先度に基づき、プロセス内のステップの特定の順序又は階層は、再編できることが理解される。添付される方法請求項は、様々なステップの要素を見本の順序で提示したものであり、提示された特定の順序又は階層に限定されることは意味しない。
【０１２９】
上記の説明は、当業者がここにおいて説明される様々な態様を実践するのを可能にするために提供される。これらの態様に対する様々な修正は、当業者にとって容易に明確になるであろう、及びここにおいて定められる一般原理は、その他の態様に対しても適用することができる。以上のように、請求項は、ここにおいて示される態様に限定されることは意図されず、請求項の文言に一致する完全な適用範囲が認められるべきであり、単数形の要素への言及は、その旨が特記されない限り“１つ及び１つのみ”を意味することは意図されず、むしろ“１つ以上”であることを意味することが意図される。別段特記されない限り、語句“幾つか”は、１つ以上を意味する。当業者に知られている又は今後に知られることになるこの開示全体を通じて説明される様々な態様の要素のすべての構造上及び機能上の同等物は、引用によってここに明示で組み入れられ、請求項によって包含されることが意図される。さらに、ここにおいて開示されるいずれも、該開示が請求項において明示で記載されているかどうかにかかわらず、公衆に提供されたものではないことが意図される。いずれの請求項要素も、その要素が句“ための手段”を用いて明示で記述されていない限り、又は、方法請求項の場合は、その要素が句“ためのステップ”を用いて記述されていない限り、３５Ｕ．Ｓ．Ｃ．§１１２の第6段落の規定に基づいて解釈されるべきではない。
以下に、本願出願の当初の特許請求の範囲に記載された発明を付記する。
［Ｃ１］
１つ以上のチャネル推定方式を用いて受信された信号からチャネルを推定することと、
前記受信された信号から前記推定されたチャネルを用いる成分信号を除去して処理された信号を生成することと、
前記処理された信号内の残留信号を検出することと、を備える、無線通信方法。
［Ｃ２］
前記受信された信号は、複数のセルからの成分を備えるＣ１に記載の方法。
［Ｃ３］
前記推定することは、
前記受信された信号においてプライマリ同期信号を検出することと、
前記プライマリ同期信号を用いてチャネル推定値を生成することと、をさらに備えるＣ１に記載の方法。
［Ｃ４］
前記推定することは、
前記受信された信号においてセカンダリ同期信号を検出することと、
前記セカンダリ同期信号を用いてチャネル推定値を生成することと、をさらに備えるＣ１に記載の方法。
［Ｃ５］
前記推定することは、
基準信号を入手することと、
前記基準信号を用いてチャネル推定値を生成することと、をさらに備えるＣ１に記載の方法。
［Ｃ６］
前記入手することは、
第１のセルからの信号を検出することであって、前記第１のセルからの前記信号は、前記基準信号シンボルを有する前記基準信号を含むことと、
前記基準信号シンボルを用いて前記推定されたチャネルを入手することと、をさらに備えるＣ５に記載の方法。
［Ｃ７］
前記基準信号シンボルは、複数のサブフレームにわたって前記基準信号内に含められるＣ６に記載の方法。
［Ｃ８］
前記基準信号シンボルは、マルチメディアブロードキャスト単一周波数ネットワーク（ＭＢＳＦＮ）サブフレーム又は空白のサブフレームのいずれかにおいて前記基準信号内に含められるＣ６に記載の方法。
［Ｃ９］
前記基準信号シンボルを用いて前記推定されたチャネルを前記入手することは、単一アンテナシステムにおいて前記基準シンボルから前記チャネルを推定することと、プライマリ又はセカンダリ同期信号からのチャネル推定値のうちの少なくとも１つと結合することと、をさらに備えるＣ６に記載の方法。
［Ｃ１０］
前記基準信号シンボルを用いて前記推定されたチャネルを前記入手することは、多アンテナシステムにおいて前記基準シンボルから前記チャネルを推定することと、プリコーディングベクトルステアリングを用いてプライマリ又はセカンダリ信号からのチャネル推定値のうちの少なくとも１つと結合することと、をさらに備えるＣ６に記載の方法。
［Ｃ１１］
前記プライマリ及びセカンダリ同期信号において用いられるプリコーディングベクトルをセルＩＤ及びシステムフレーム番号とリンクさせることをさらに備えるＣ１０に記載の方法。
［Ｃ１２］
前記１つ以上のチャネル推定方式のうちの１つは、
第１のセル物理ブロードキャストチャネルを復号することと、
前記受信された信号と関連付けられたプライマリ同期信号及びセカンダリ同期信号に前記復号された第１のセル物理ブロードキャストチャネルを適用することと、を備えるＣ１に記載の方法。
［Ｃ１３］
前記適用することは、前記物理ブロードキャストチャネルにプリコーディングベクトルを乗じて前記プライマリ同期信号及び前記セカンダリ同期信号に適用するチャネルを入手することをさらに備えるＣ１２に記載の方法。
［Ｃ１４］
前記プライマリ及びセカンダリ同期信号において用いられるプリコーディングベクトルをセルＩＤ及びシステムフレーム番号とリンクさせることをさらに備えるＣ１２に記載の方法。
［Ｃ１５］
前記検出することは、１つ以上の誤アラーム低減方式を適用することをさらに備えるＣ１に記載の方法。
［Ｃ１６］
前記１つ以上の誤アラーム低減方式のうちの１つは、前記残留信号の受信された電力をスレショルド値と比較することを備えるＣ１５に記載の方法。
［Ｃ１７］
前記スレショルド値は、
定義されたスレショルド値、
検出された最も強力なセルから生成されたスレショルド、又は
複数の検出されたセルの平均から生成されたスレショルド、のうちの少なくとも１つを備えるＣ１６に記載の方法。
［Ｃ１８］
前記１つ以上の誤アラーム低減方式のうちの１つは、前記検出された信号に対する巡回冗長検査を行うことを備えるＣ１５に記載の方法。
［Ｃ１９］
前記１つ以上の誤アラーム低減方式のうちの１つは、
基準信号受信電力が前記残留信号におけるスレショルドよりも高いことを決定することと、
前記残留信号から物理ブロードキャストチャネルを復号することと、を備えるＣ１５に記載の方法。
［Ｃ２０］
前記残留信号に対する自動利得制御を行うことをさらに備えるＣ１に記載の方法。
［Ｃ２１］
前記自動利得制御は、
前記推定されたチャネル、又は
前記受信された信号と前記残留信号との間のエネルギー差、のうちの少なくとも１つに基づいて前記残留信号にスケーリングファクタを適用することをさらに備えるＣ２０に記載の方法。
［Ｃ２２］
前記残留信号及び前記推定されたチャネルと関連付けられた信号が類似の送信されたプライマリ同期信号を有することを決定することと、
前記推定されたチャネル及び検出されたタイミングと関連付けられた情報を格納することと、をさらに備え、前記格納された情報は、検出されたプライマリ同期信号をさらに備えるＣ１に記載の方法。
［Ｃ２３］
１つ以上のチャネル推定方式を用いて受信された信号からチャネルを推定するための手段と、
前記受信された信号から前記推定されたチャネルを用いる成分信号を除去して処理された信号を生成するための手段と、
前記処理された信号内の残留信号を検出するための手段と、を備える、無線通信のための装置。
［Ｃ２４］
前記受信された信号は、複数のセルからの成分を備えるＣ２３に記載の装置。
［Ｃ２５］
推定するための前記手段は、
前記受信された信号においてプライマリ同期信号を検出するための手段と、
前記プライマリ同期信号を用いてチャネル推定値を生成するための手段と、をさらに備えるＣ２３に記載の装置。
［Ｃ２６］
推定するための前記手段は、
前記受信された信号においてセカンダリ同期信号を検出するための手段と、
前記セカンダリ同期信号を用いてチャネル推定値を生成するための手段と、をさらに備えるＣ２３に記載の装置。
［Ｃ２７］
推定するための前記手段は、
基準信号を入手するための手段と、
前記基準信号を用いてチャネル推定値を生成するための手段と、をさらに備えるＣ２３に記載の装置。
［Ｃ２８］
入手するための前記手段は、
第１のセルからの信号を検出するための手段であって、前記第１のセルからの前記信号は、前記基準信号シンボルを有する前記基準信号を含む手段と、
前記基準信号シンボルを用いて前記推定されたチャネルを入手するための手段と、をさらに備えるＣ２７に記載の装置。
［Ｃ２９］
前記基準信号シンボルは、複数のサブフレームにわたって前記基準信号内に含められるＣ２８に記載の装置。
［Ｃ３０］
前記基準信号シンボルは、マルチメディアブロードキャスト単一周波数ネットワーク（ＭＢＳＦＮ）サブフレーム又は空白のサブフレームのいずれかにおいて前記基準信号内に含められるＣ２８に記載の装置。
［Ｃ３１］
前記基準信号シンボルを用いて前記推定されたチャネルを入手するための前記手段は、単一アンテナシステムにおいて前記基準シンボルから前記チャネルを推定するための手段と、プライマリ又はセカンダリ同期信号からのチャネル推定値のうちの少なくとも１つと結合するための手段と、をさらに備えるＣ２８に記載の装置。
［Ｃ３２］
前記基準信号シンボルを用いて前記推定されたチャネルを入手するための前記手段は、多アンテナシステムにおいて前記基準シンボルから前記チャネルを推定するための手段と、プリコーディングベクトルステアリングを用いてプライマリ又はセカンダリ信号からのチャネル推定値のうちの少なくとも１つと結合するための手段と、をさらに備えるＣ２８に記載の装置。
［Ｃ３３］
前記プライマリ及びセカンダリ同期信号において用いられるプリコーディングベクトルをセルＩＤ及びシステムフレーム番号とリンクさせるための手段をさらに備えるＣ３２に記載の装置。
［Ｃ３４］
１つ以上のチャネル推定方式を用いて前記受信された信号からチャネルを推定するための前記手段は、
第１のセル物理ブロードキャストチャネルを復号するための手段と、
前記受信された信号と関連付けられたプライマリ同期信号及びセカンダリ同期信号に前記復号された第１のセル物理ブロードキャストチャネルを適用するための手段と、を備えるＣ２３に記載の装置。
［Ｃ３５］
適用するための前記手段は、前記物理ブロードキャストチャネルにプリコーディングベクトルを乗じて前記プライマリ同期信号及び前記セカンダリ同期信号に適用するチャネルを入手するための手段をさらに備えるＣ３４に記載の装置。
［Ｃ３６］
前記プライマリ及びセカンダリ同期信号において用いられるプリコーディングベクトルをセルＩＤ及びシステムフレーム番号とリンクさせるための手段をさらに備えるＣ３４に記載の装置。
［Ｃ３７］
検出するための前記手段は、１つ以上の誤アラーム低減方式を適用するための手段をさらに備えるＣ２３に記載の装置。
［Ｃ３８］
前記１つ以上の誤アラーム低減方式のうちの１つを適用するための前記手段は、前記残留信号の受信された電力をスレショルド値と比較するための手段を備えるＣ３７に記載の装置。
［Ｃ３９］
前記スレショルド値は、
定義されたスレショルド値、
検出された最も強力なセルから生成されたスレショルド、又は
複数の検出されたセルの平均から生成されたスレショルド、のうちの少なくとも１つを備えるＣ３８に記載の装置。
［Ｃ４０］
前記１つ以上の誤アラーム低減方式のうちの１つを適用するための前記手段は、前記検出された信号に対する巡回冗長検査を行うための手段を備えるＣ３７に記載の装置。
［Ｃ４１］
前記１つ以上の誤アラーム低減方式のうちの１つを適用するための前記手段は、
基準信号受信電力が前記残留信号におけるスレショルドよりも高いことを決定するための手段と、
前記残留信号から物理ブロードキャストチャネルを復号するための手段と、を備えるＣ３７に記載の装置。
［Ｃ４２］
前記残留信号に対する自動利得制御を行うための手段をさらに備えるＣ２３に記載の装置。
［Ｃ４３］
自動利得制御を行うための前記手段は、
前記推定されたチャネル、又は
前記受信された信号と前記残留信号との間のエネルギー差、のうちの少なくとも１つに基づいて前記残留信号にスケーリングファクタを適用するための手段をさらに備えるＣ４２に記載の装置。
［Ｃ４４］
前記残留信号及び前記推定されたチャネルと関連付けられた信号が類似の送信されたプライマリ同期信号を有することを決定するための手段と、
前記推定されたチャネル及び検出されたタイミングと関連付けられた情報を格納するための手段と、をさらに備え、前記格納された情報は、検出されたプライマリ同期信号をさらに備えるＣ２３に記載の装置。
［Ｃ４５］
１つ以上のチャネル推定方式を用いて受信された信号からチャネルを推定し、
前記受信された信号から前記推定されたチャネルを用いる成分信号を除去して処理された信号を生成し、及び
前記処理された信号内の残留信号を検出するための符号を備えるコンピュータによって読み取り可能な媒体、を備える、コンピュータプログラム製品。
［Ｃ４６］
前記受信された信号は、複数のセルからの成分を備えるＣ４５に記載のコンピュータプログラム製品。
［Ｃ４７］
推定するための前記符号は、
前記受信された信号においてプライマリ同期信号又はセカンダリ同期信号のうちの少なくとも１つを検出し、及び
前記プライマリ同期信号又は前記セカンダリ同期信号のいずれかを用いてチャネル推定値を生成するための符号をさらに備えるＣ４５に記載のコンピュータプログラム製品。
［Ｃ４８］
前記１つ以上のチャネル推定方式のうちの１つは、
第１のセル物理ブロードキャストチャネルを復号し、及び
前記受信された信号と関連付けられたプライマリ同期信号及びセカンダリ同期信号に前記復号された第１のセル物理ブロードキャストチャネルを適用するための符号を備えるＣ４５に記載のコンピュータプログラム製品。
［Ｃ４９］
検出するための前記符号は、１つ以上の誤アラーム低減方式を適用するための符号をさらに備えるＣ４５に記載のコンピュータプログラム製品。
［Ｃ５０］
前記１つ以上の誤アラーム低減方式のうちの１つは、前記残留信号の受信された電力をスレショルド値と比較するための符号を備えるＣ４９に記載のコンピュータプログラム製品。
［Ｃ５１］
前記コンピュータによって読み取り可能な媒体は、前記残留信号に対する自動利得制御を行うための符号をさらに備えるＣ４５に記載のコンピュータプログラム製品。
［Ｃ５２］
前記コンピュータによって読み取り可能な媒体は、
前記残留信号及び前記推定されたチャネルと関連付けられた信号が類似の送信されたプライマリ同期信号を有することを決定し、及び
前記推定されたチャネル及び検出されたタイミングと関連付けられた情報を格納するための符号をさらに備え、前記格納された情報は、検出されたプライマリ同期信号をさらに備えるＣ４５に記載のコンピュータプログラム製品。
［Ｃ５３］
少なくとも１つのプロセッサと、
前記少なくとも１つのプロセッサに結合されたメモリと、を備え、前記少なくとも１つのプロセッサは、
１つ以上のチャネル推定方式を用いて受信された信号からチャネルを推定し、
前記受信された信号から前記推定されたチャネルを用いる成分信号を除去して処理された信号を生成し、及び
前記処理された信号内の残留信号を検出するように構成される、無線通信のための装置。
［Ｃ５４］
前記受信された信号は、複数のセルからの成分を備えるＣ５３に記載の装置。
［Ｃ５５］
１つ以上のチャネル推定方式を用いて前記受信された信号からチャネルを推定するために、前記少なくとも１つのプロセッサは、
前記受信された信号においてプライマリ同期信号又はセカンダリ同期信号のうちの少なくとも１つを検出し、及び
前記プライマリ同期信号又は前記セカンダリ同期信号のいずれかを用いてチャネル推定値を生成するようにさらに構成されるＣ５３に記載の装置。
［Ｃ５６］
１つ以上のチャネル推定方式を用いて前記受信された信号からチャネルを推定するために、前記少なくとも１つのプロセッサは、
第１のセル物理ブロードキャストチャネルを復号し、及び
前記受信された信号と関連付けられたプライマリ同期信号及びセカンダリ同期信号に前記復号された第１のセル物理ブロードキャストチャネルを適用するようにさらに構成されるＣ５３に記載の装置。
［Ｃ５７］
前記少なくとも１つのプロセッサは、１つ以上の誤アラーム低減方式を適用するようにさらに構成されるＣ５３に記載の装置。
［Ｃ５８］
１つ以上の誤アラーム低減方式を適用するために、前記少なくとも１つのプロセッサは、前記残留信号の受信された電力をスレショルド値と比較するようにさらに構成されるＣ５７に記載の装置。
［Ｃ５９］
前記少なくとも１つのプロセッサは、前記残留信号に対する自動利得制御を行うようにさらに構成されるＣ５３に記載の装置。
［Ｃ６０］
前記少なくとも１つのプロセッサは、
前記残留信号及び前記推定されたチャネルと関連付けられた信号が類似の送信されたプライマリ同期信号を有することを決定し、及び、
前記推定されたチャネル及び検出されたタイミングと関連付けられた情報を格納するようにさらに構成され、前記格納された情報は、検出されたプライマリ同期信号をさらに備えるＣ５３に記載の装置。
【図１】
0005882417.tif 000002
【図２】
0005882417.tif 000003
【図３】
0005882417.tif 000004
【図４】
0005882417.tif 000005
【図５】
0005882417.tif 000006
【図６】
0005882417.tif 000007
【図７】
0005882417.tif 000008
【図８】
0005882417.tif 000009
【図９】
0005882417.tif 000010
【図１０】
0005882417.tif 000011
【図１１】
0005882417.tif 000012
【図１２】
0005882417.tif 000013
【図１３】
0005882417.tif 000014
【図１４】
0005882417.tif 000015
【図１５】
0005882417.tif 000016
【図１６】
0005882417.tif 000017